(57)【要約】【課題】自然文を含む複数の文書データを該自然文の内容に応じて分類して表示することが可能な情報処理技術を提供する。【解決手段】情報処理システムは、自然文を構成する２以上の要素がそれぞれ項目名と関連付けられている複数の構造化文書データを蓄積するデータベースと、ユーザの動作に応じて、１以上の項目名と該１以上の項目名に係る１以上の要素とが関連付けられている情報を含む検索クエリを生成するクエリ生成手段と、データベースから検索クエリに対応する複数の構造化文書データを抽出する抽出手段と、抽出手段によって抽出される複数の構造化文書データを、分類の基準となる１以上の項目名を示す分類条件に基づいて分類する分類手段と、分類手段による分類結果に基づいて、抽出手段によって抽出される複数の構造化文書データに係る情報を可視的に出力する出力手段とを備える。【選択図】図１５
2011018111.tif 000002
【特許請求の範囲】
【請求項１】
自然文を構成する２以上の要素がそれぞれ項目名と関連付けられている複数の構造化文書データを蓄積するデータベースと、
ユーザの動作に応じて、１以上の項目名と該１以上の項目名に係る１以上の要素とが関連付けられている情報を含む検索クエリを生成するクエリ生成手段と、
前記データベースから前記検索クエリに対応する複数の構造化文書データを抽出する抽出手段と、
前記抽出手段によって抽出される複数の構造化文書データを、分類の基準となる１以上の項目名を示す分類条件に基づいて分類する分類手段と、
前記分類手段による分類結果に基づいて、前記抽出手段によって抽出される複数の構造化文書データに係る情報を可視的に出力する出力手段と、
を備えることを特徴とする情報処理システム。
【請求項２】
請求項１に記載の情報処理システムであって、
各前記構造化文書データが、
ＲＤＦを用いて記述されることを特徴とする情報処理システム。
【請求項３】
請求項２に記載の情報処理システムであって、
前記検索クエリの言語にＳＰＡＲＱＬが使用されていることを特徴とする情報処理システム。
【請求項４】
請求項１から請求項３の何れか１つの請求項に記載の情報処理システムであって、
前記検索クエリが、
第１の項目名と該第１の項目名に係る１以上の要素とが関連付けられるとともに、第２の項目名と該第２の項目名に係る１以上の要素とが関連付けられている情報を含むことを特徴とする情報処理システム。
【請求項５】
請求項１から請求項４の何れか１つの請求項に記載の情報処理システムであって、
前記検索クエリが、
１以上の項目名と該１以上の項目名に係る１以上の要素と該１以上の要素に係る詳細な情報を示す詳細要素とが関連付けられている情報を含むことを特徴とする情報処理システム。
【請求項６】
請求項１から請求項５の何れか１つの請求項に記載の情報処理システムであって、
前記クエリ生成手段が、
前記分類手段による分類処理後におけるユーザの動作に応じて、前記検索クエリに対して、前記１以上の項目名とは異なる１以上の別の項目名と該１以上の別の項目名に係る１以上の要素とが関連付けられている情報を追加することで、変更後の検索クエリを生成し、
前記抽出手段が、
該抽出手段によって既に抽出されている複数の構造化文書データまたは前記データベースから、前記変更後の検索クエリに対応する複数の構造化文書データを再度抽出し、
前記分類手段が、
前記抽出手段によって再度抽出される複数の構造化文書データを、前記分類条件に基づいて分類することを特徴とする情報処理システム。
【請求項７】
請求項１から請求項５の何れか１つの請求項に記載の情報処理システムであって、
前記クエリ生成手段が、
前記分類手段による分類処理後におけるユーザの動作に応じて、前記検索クエリに含まれる前記１以上の項目名と該１以上の項目名に係る１以上の要素とが関連付けられている情報に、該１以上の要素に係る詳細な情報を示す詳細要素を更に関連付けることで、変更後の検索クエリを生成し、
前記抽出手段が、
該抽出手段によって既に抽出されている複数の構造化文書データまたは前記データベースから、前記変更後の検索クエリに対応する複数の構造化文書データを再度抽出し、
前記分類手段が、
前記抽出手段によって再度抽出される複数の構造化文書データを、前記分類条件に基づいて分類することを特徴とする情報処理システム。
【請求項８】
請求項１から請求項７の何れか１つの請求項に記載の情報処理システムであって、
前記分類条件が、
分類の基準となる２以上の項目名、および該２以上の項目名に係る優先順位を示し、
前記分類手段が、
前記抽出手段によって抽出される複数の構造化文書データを、前記優先順位に基づいて、前記分類の基準となる２以上の項目名に係る要素を用いて階層的に分類することを特徴とする情報処理システム。
【請求項９】
請求項８に記載の情報処理システムであって、
前記出力手段が、
前記抽出手段によって抽出される複数の構造化文書データに係る情報を前記分類手段による階層的な分類結果に基づいて可視的に出力する際に、ユーザの動作に応じて、少なくとも１つの階層に係る１以上の要素に従属する情報が、可視的に出力されている可視状態、および可視的に出力されていない非可視状態の何れか一方の状態に設定することを特徴とする情報処理システム。
【請求項１０】
請求項８または請求項９に記載の情報処理システムであって、
前記出力手段が、
前記抽出手段によって抽出される複数の構造化文書データに係る情報を前記分類手段による階層的な分類結果に基づいて可視的に出力する際に、少なくとも１つの階層に係る各要素に対して分類されている構造化文書データの数をそれぞれ示す表示要素を、分類先の各要素を示す表示要素に対応させた形態で可視的に出力することを特徴とする情報処理システム。
【請求項１１】
請求項８から請求項１０の何れか１つの請求項に記載の情報処理システムであって、
前記出力手段が、
前記抽出手段によって抽出される複数の構造化文書データに係る情報を前記分類手段による階層的な分類結果に基づいて可視的に出力する際に、２以上の構造化文書データにそれぞれ対応する情報のうち、１以上の表示項目名に係る情報をテーブルの形態で可視的に出力するとともに、ユーザの動作に応じて、各前記表示項目名に係る情報を、所定ルールに従った昇順または降順の態様で可視的に出力することを特徴とする情報処理システム。
【請求項１２】
自然文を構成する２以上の要素がそれぞれ項目名と関連付けられている複数の構造化文書データを蓄積するデータベースと、
ユーザの動作に応答して入力される指示に応じて、前記複数の構造化文書データを、分類の基準となる１以上の項目名を示す分類条件に基づいて分類する分類手段と、
前記分類手段による分類結果に基づいて、前記複数の構造化文書データに係る情報を可視的に出力する出力手段と、
を備えることを特徴とする情報処理システム。
【請求項１３】
請求項１２に記載の情報処理システムであって、
各前記構造化文書データが、
ＲＤＦを用いて記述されることを特徴とする情報処理システム。
【請求項１４】
請求項１２または請求項１３に記載の情報処理システムであって、
前記分類条件が、
分類の基準となる２以上の項目名、および該２以上の項目名に係る優先順位を示し、
前記分類手段が、
前記複数の構造化文書データを、前記優先順位に基づいて、前記分類の基準となる２以上の項目名に係る要素を用いて階層的に分類することを特徴とする情報処理システム。
【請求項１５】
請求項１４に記載の情報処理システムであって、
前記出力手段が、
前記複数の構造化文書データに係る情報を前記分類手段による階層的な分類結果に基づいて可視的に出力する際に、ユーザの動作に応じて、少なくとも１つの階層に係る１以上の要素に従属する情報が、可視的に出力されている可視状態、および可視的に出力されていない非可視状態の何れか一方の状態に設定することを特徴とする情報処理システム。
【請求項１６】
請求項１４または請求項１５に記載の情報処理システムであって、
前記出力手段が、
前記複数の構造化文書データに係る情報を前記分類手段による階層的な分類結果に基づいて可視的に出力する際に、少なくとも１つの階層に係る各要素に対して分類されている構造化文書データの数をそれぞれ示す表示要素を、分類先の各要素を示す表示要素に対応させた形態で可視的に出力することを特徴とする情報処理システム。
【請求項１７】
請求項１４から請求項１６の何れか１つの請求項に記載の情報処理システムであって、
前記出力手段が、
前記複数の構造化文書データに係る情報を前記分類手段による階層的な分類結果に基づいて可視的に出力する際に、２以上の構造化文書データにそれぞれ対応する情報のうち、１以上の表示項目名に係る情報をテーブルの形態で可視的に出力するとともに、ユーザの動作に応じて、各前記表示項目名に係る情報を、所定ルールに従った昇順または降順の態様で可視的に出力することを特徴とする情報処理システム。
【請求項１８】
請求項８から請求項１１および請求項１４から請求項１７の何れか１つの請求項に記載の情報処理システムであって、
各前記構造化文書データが、
複数の項目名に係る要素が、所定の従属関係に従って階層的に関連付けられているデータを含み、
前記分類手段によって前記優先順位に基づいて階層的に分類される要素の従属関係が、前記所定の従属関係とは異なることを特徴とする情報処理システム。
【請求項１９】
請求項１から請求項１８の何れか１つの請求項に記載の情報処理システムであって、
自然文から２以上の要素を認識して、該２以上の要素にそれぞれ項目名を関連付けることで、前記データベースに蓄積される各前記構造化文書データを生成するデータ生成手段、
を更に備えることを特徴とする情報処理システム。
【請求項２０】
請求項１から請求項１８の何れか１つの請求項に記載の情報処理システムであって、
自然文を構成する複数の要素に係る２以上の項目名に対して、それぞれ１以上の要素が指定されることによって、前記データベースに蓄積される各前記構造化文書データを生成するデータ生成手段、
を更に備えることを特徴とする情報処理システム。
【請求項２１】
請求項１から請求項２０の何れか１つの請求項に記載の情報処理システムであって、
ユーザの動作に応じて、前記分類条件に含まれる分類の基準となる１以上の項目名を設定する設定手段、
を更に備えることを特徴とする情報処理システム。
【請求項２２】
請求項１から請求項２１の何れか１つの請求項に記載の情報処理システムであって、
前記データベースに蓄積される複数の構造化文書データが、
医療分野のレポートに係る構造化文書データを含むことを特徴とする情報処理システム。
【請求項２３】
請求項１から請求項２２の何れか１つの請求項に記載の情報処理システムであって、
各前記自然文を構成する２以上の要素に係る項目名が、
撮影条件、基本部位、基本所見、診断、および処置のうちの少なくとも１つの項目名を含むことを特徴とする情報処理システム。
【請求項２４】
情報処理システムに含まれる制御部で実行されることで、前記情報処理システムを請求項１から請求項２３の何れか１つの請求項に記載の情報処理システムとして機能させることを特徴とするプログラム。
【発明の詳細な説明】
【技術分野】
【０００１】
本発明は、情報処理システムおよびプログラムに関する。
【背景技術】
【０００２】
近年、病院等の医療機関では、患者の診療情報等を電子的に保存する電子カルテシステムの導入が行われている。この電子カルテシステムでは、情報の収納空間の増大を招くことなく、大量の情報を保存することができる。但し、この電子カルテシステムに対しては、大量の情報を見易い態様で表示させることが要求される。例えば、一人の患者のカルテ情報を表示する際に、診療情報の全体構成を把握しながら、且つ必要な情報だけを扱える様な態様が望まれる。
【０００３】
この様な要求に対して、個別のカルテの情報を階層化し、カルテを構成する複数の項目のうち、医師の操作に応じて選択された項目に係る情報が選択的に展開されて表示される技術が提案されている（例えば、特許文献１）。また、一人の患者に係る検査結果のレポートの参照に際して、医師によるレポートの分類項目の選択に応じて、該選択された分類項目に関する内容が抽出されて表示される技術が提案されている（例えば、特許文献２）。
【０００４】
また、電子メールに係るソフトウエア等によれば、差出人や件名等に応じて大量のメールを分類してグループ化した状態で表示することが一般的に可能となっている。
【先行技術文献】
【特許文献】
【０００５】
【特許文献１】特開平９−３０５６７１号公報
【特許文献２】特開２００２−９２１５９号公報
【発明の概要】
【発明が解決しようとする課題】
【０００６】
ところで、電子カルテシステム等といった医療に関する情報の格納および閲覧を可能とする医療情報システムにおいては、蓄積されている過去の医療情報を用いて、診断が列記されたリストの閲覧、および同じ診断に係る異なる症例の比較等を行うことが出来れば、有用である。
【０００７】
しかしながら、例えば、いわゆる読影レポートについては、一般に、医師の判断に基づいた診断等に関する情報が自然文で記載されるため、上記特許文献１，２の技術では、複数の読影レポートを、診断等を基準として分類およびグループ化した状態で表示することができない。また、複数の電子メールを、メールの本文の内容について分類およびグループ化した状態で表示することができない。
【０００８】
この様な問題は、自然文を含む複数の文書を該自然文の内容に応じて分類して表示する用途一般に共通する。
【０００９】
本発明は、上記課題を鑑みてなされたものであり、自然文を含む複数の文書データを該自然文の内容に応じて分類して表示することが可能な情報処理技術を提供することを目的とする。
【課題を解決するための手段】
【００１０】
上記課題を解決するために、第１の態様に係る情報処理システムは、自然文を構成する２以上の要素がそれぞれ項目名と関連付けられている複数の構造化文書データを蓄積するデータベースと、ユーザの動作に応じて、１以上の項目名と該１以上の項目名に係る１以上の要素とが関連付けられている情報を含む検索クエリを生成するクエリ生成手段と、前記データベースから前記検索クエリに対応する複数の構造化文書データを抽出する抽出手段と、前記抽出手段によって抽出される複数の構造化文書データを、分類の基準となる１以上の項目名を示す分類条件に基づいて分類する分類手段と、前記分類手段による分類結果に基づいて、前記抽出手段によって抽出される複数の構造化文書データに係る情報を可視的に出力する出力手段とを備える。
【００１１】
第２の態様に係る情報処理システムは、第１の態様に係る情報処理システムであって、各前記構造化文書データが、ＲＤＦを用いて記述される。
【００１２】
第３の態様に係る情報処理システムは、第２の態様に係る情報処理システムであって、前記検索クエリの言語にＳＰＡＲＱＬが使用されている。
【００１３】
第４の態様に係る情報処理システムは、第１から第３の何れか１つの態様に係る情報処理システムであって、前記検索クエリが、第１の項目名と該第１の項目名に係る１以上の要素とが関連付けられるとともに、第２の項目名と該第２の項目名に係る１以上の要素とが関連付けられている情報を含む。
【００１４】
第５の態様に係る情報処理システムは、第１から第４の何れか１つの態様に係る情報処理システムであって、前記検索クエリが、１以上の項目名と該１以上の項目名に係る１以上の要素と該１以上の要素に係る詳細な情報を示す詳細要素とが関連付けられている情報を含む。
【００１５】
第６の態様に係る情報処理システムは、第１から第５の何れか１つの態様に係る情報処理システムであって、前記クエリ生成手段が、前記分類手段による分類処理後におけるユーザの動作に応じて、前記検索クエリに対して、前記１以上の項目名とは異なる１以上の別の項目名と該１以上の別の項目名に係る１以上の要素とが関連付けられている情報を追加することで、変更後の検索クエリを生成し、前記抽出手段が、該抽出手段によって既に抽出されている複数の構造化文書データまたは前記データベースから、前記変更後の検索クエリに対応する複数の構造化文書データを再度抽出し、前記分類手段が、前記抽出手段によって再度抽出される複数の構造化文書データを、前記分類条件に基づいて分類する。
【００１６】
第７の態様に係る情報処理システムは、第１から第５の何れか１つの態様に係る情報処理システムであって、前記クエリ生成手段が、前記分類手段による分類処理後におけるユーザの動作に応じて、前記検索クエリに含まれる前記１以上の項目名と該１以上の項目名に係る１以上の要素とが関連付けられている情報に、該１以上の要素に係る詳細な情報を示す詳細要素を更に関連付けることで、変更後の検索クエリを生成し、前記抽出手段が、該抽出手段によって既に抽出されている複数の構造化文書データまたは前記データベースから、前記変更後の検索クエリに対応する複数の構造化文書データを再度抽出し、前記分類手段が、前記抽出手段によって再度抽出される複数の構造化文書データを、前記分類条件に基づいて分類する。
【００１７】
第８の態様に係る情報処理システムは、第１から第７の何れか１つの態様に係る情報処理システムであって、前記分類条件が、分類の基準となる２以上の項目名、および該２以上の項目名に係る優先順位を示し、前記分類手段が、前記抽出手段によって抽出される複数の構造化文書データを、前記優先順位に基づいて、前記分類の基準となる２以上の項目名に係る要素を用いて階層的に分類する。
【００１８】
第９の態様に係る情報処理システムは、第８の態様に係る情報処理システムであって、前記出力手段が、前記抽出手段によって抽出される複数の構造化文書データに係る情報を前記分類手段による階層的な分類結果に基づいて可視的に出力する際に、ユーザの動作に応じて、少なくとも１つの階層に係る１以上の要素に従属する情報が、可視的に出力されている可視状態、および可視的に出力されていない非可視状態の何れか一方の状態に設定する。
【００１９】
第１０の態様に係る情報処理システムは、第８または第９の態様に係る情報処理システムであって、前記出力手段が、前記抽出手段によって抽出される複数の構造化文書データに係る情報を前記分類手段による階層的な分類結果に基づいて可視的に出力する際に、少なくとも１つの階層に係る各要素に対して分類されている構造化文書データの数をそれぞれ示す表示要素を、分類先の各要素を示す表示要素に対応させた形態で可視的に出力する。
【００２０】
第１１の態様に係る情報処理システムは、第８から第１０の何れか１つの態様に係る情報処理システムであって、前記出力手段が、前記抽出手段によって抽出される複数の構造化文書データに係る情報を前記分類手段による階層的な分類結果に基づいて可視的に出力する際に、２以上の構造化文書データにそれぞれ対応する情報のうち、１以上の表示項目名に係る情報をテーブルの形態で可視的に出力するとともに、ユーザの動作に応じて、各前記表示項目名に係る情報を、所定ルールに従った昇順または降順の態様で可視的に出力する。
【００２１】
第１２の態様に係る情報処理システムは、自然文を構成する２以上の要素がそれぞれ項目名と関連付けられている複数の構造化文書データを蓄積するデータベースと、ユーザの動作に応答して入力される指示に応じて、前記複数の構造化文書データを、分類の基準となる１以上の項目名を示す分類条件に基づいて分類する分類手段と、前記分類手段による分類結果に基づいて、前記複数の構造化文書データに係る情報を可視的に出力する出力手段とを備える。
【００２２】
第１３の態様に係る情報処理システムは、第１２の態様に係る情報処理システムであって、各前記構造化文書データが、ＲＤＦを用いて記述される。
【００２３】
第１４の態様に係る情報処理システムは、第１２または第１３の態様に係る情報処理システムであって、前記分類条件が、分類の基準となる２以上の項目名、および該２以上の項目名に係る優先順位を示し、前記分類手段が、前記複数の構造化文書データを、前記優先順位に基づいて、前記分類の基準となる２以上の項目名に係る要素を用いて階層的に分類する。
【００２４】
第１５の態様に係る情報処理システムは、第１４の態様に係る情報処理システムであって、前記出力手段が、前記複数の構造化文書データに係る情報を前記分類手段による階層的な分類結果に基づいて可視的に出力する際に、ユーザの動作に応じて、少なくとも１つの階層に係る１以上の要素に従属する情報が、可視的に出力されている可視状態、および可視的に出力されていない非可視状態の何れか一方の状態に設定する。
【００２５】
第１６の態様に係る情報処理システムは、第１４または第１５の態様に係る情報処理システムであって、前記出力手段が、前記複数の構造化文書データに係る情報を前記分類手段による階層的な分類結果に基づいて可視的に出力する際に、少なくとも１つの階層に係る各要素に対して分類されている構造化文書データの数をそれぞれ示す表示要素を、分類先の各要素を示す表示要素に対応させた形態で可視的に出力する。
【００２６】
第１７の態様に係る情報処理システムは、第１４から第１６の何れか１つの態様に係る情報処理システムであって、前記出力手段が、前記複数の構造化文書データに係る情報を前記分類手段による階層的な分類結果に基づいて可視的に出力する際に、２以上の構造化文書データにそれぞれ対応する情報のうち、１以上の表示項目名に係る情報をテーブルの形態で可視的に出力するとともに、ユーザの動作に応じて、各前記表示項目名に係る情報を、所定ルールに従った昇順または降順の態様で可視的に出力する。
【００２７】
第１８の態様に係る情報処理システムは、第８から第１１および第１４から第１７の何れか１つの態様に係る情報処理システムであって、各前記構造化文書データが、複数の項目名に係る要素が、所定の従属関係に従って階層的に関連付けられているデータを含み、前記分類手段によって前記優先順位に基づいて階層的に分類される要素の従属関係が、前記所定の従属関係とは異なる。
【００２８】
第１９の態様に係る情報処理システムは、第１から第１８の何れか１つの態様に係る情報処理システムであって、自然文から２以上の要素を認識して、該２以上の要素にそれぞれ項目名を関連付けることで、前記データベースに蓄積される各前記構造化文書データを生成するデータ生成手段を更に備える。
【００２９】
第２０の態様に係る情報処理システムは、第１から第１８の何れか１つの態様に係る情報処理システムであって、自然文を構成する複数の要素に係る２以上の項目名に対して、それぞれ１以上の要素が指定されることによって、前記データベースに蓄積される各前記構造化文書データを生成するデータ生成手段を更に備える。
【００３０】
第２１の態様に係る情報処理システムは、第１から第２０の何れか１つの態様に係る情報処理システムであって、ユーザの動作に応じて、前記分類条件に含まれる分類の基準となる１以上の項目名を設定する設定手段を更に備える。
【００３１】
第２２の態様に係る情報処理システムは、第１から第２１の何れか１つの態様に係る情報処理システムであって、前記データベースに蓄積される複数の構造化文書データが、医療分野のレポートに係る構造化文書データを含む。
【００３２】
第２３の態様に係る情報処理システムは、第１から第２２の何れか１つの態様に係る情報処理システムであって、各前記自然文を構成する２以上の要素に係る項目名が、撮影条件、基本部位、基本所見、診断、および処置のうちの少なくとも１つの項目名を含む。
【００３３】
第２４の態様に係るプログラムは、情報処理システムに含まれる制御部で実行されることで、前記情報処理システムを第１から第２３の何れか１つの態様に係る情報処理システムとして機能させる。
【発明の効果】
【００３４】
第１から第１１および第１８から第２３の何れの態様に係る情報処理システムによっても、生成される検索クエリに対応する複数の構造化文書データが抽出され、該複数の構造化文書データが、分類条件に基づいて分類された上で可視的に出力されるため、自然文を含む複数の文書データを該自然文の内容に応じて分類して表示することが可能となる。
【００３５】
第４および第５の何れの態様に係る情報処理システムによっても、検索条件の増加によって、表示される情報の絞り込みを行うことができる。
【００３６】
第６および第７の何れの態様に係る情報処理システムによっても、一旦抽出された複数の構造化文書データの内容を確認した後に、検索条件の増加によって、表示される情報の更なる絞り込みを行うことができる。
【００３７】
第８および第１４の何れの態様に係る情報処理システムによっても、複数の構造化文書データに係る情報が視覚的に把握し易い態様で表示されるため、ユーザは所望の情報を短時間で認識することができる。
【００３８】
第９、第１１、第１５、および第１７の何れの態様に係る情報処理システムによっても、ユーザの意図に応じて、複数の構造化文書データに係る情報が視覚的に把握し易い態様で表示されるため、ユーザは所望の情報を短時間で認識することができる。
【００３９】
第１０および第１６の何れの態様に係る情報処理システムによっても、各要素に分類された構造化文書データの数がそれぞれ示されるため、少数の構造化文書データしか分類されない要素についても容易に把握することが可能となる。
【００４０】
第１２から第２３の何れの態様に係る情報処理システムによっても、データベースに蓄積される複数の構造化文書データが、分類条件に基づいて分類された上で可視的に出力されるため、自然文を含む複数の文書データを該自然文の内容に応じて分類して表示することが可能となる。
【００４１】
第１９の態様に係る情報処理システムによれば、自然文が入力されると、データベースに蓄積される各構造化文書データが生成されるため、複数の構造化文書データが蓄積されるデータベースを容易に構築することができる。
【００４２】
第２０の態様に係る情報処理システムによれば、自然文の解析によって構造化文書データを生成するための構成が不要となるため、複数の構造化文書データが蓄積されるデータベースを短時間で構築することができる。
【００４３】
第２１の態様に係る情報処理システムによれば、複数の構造化文書データが、ユーザが意図した分類条件に基づいて分類された上で可視的に出力されるため、ユーザが所望の情報を効率良く閲覧することができる。
【００４４】
第２２の態様に係る情報処理システムによれば、ユーザが医療分野の情報を容易に把握することができる。
【００４５】
第２３の態様に係る情報処理システムによれば、撮影条件、基本部位、基本所見、診断、および処置等といった項目名についての情報を容易に把握することが可能となる。
【００４６】
第２４の態様に係るプログラムによれば、第１から第２３の態様に係る情報処理システムと同様な効果を得ることができる。
【図面の簡単な説明】
【００４７】
【図１】一実施形態に係る情報処理システムの構成を示す図である。
【図２】一実施形態に係る情報処理システムに係る機能的な構成を示す図である。
【図３】レポート入力と構造化情報ＤＢの構築に係る機能的な構成を示す図である。
【図４】所見文の構造化処理を説明するための図である。
【図５】所見文の構造化処理を説明するための図である。
【図６】構造化レポートデータの具体例を示す図である。
【図７】検査一覧画面を例示する図である。
【図８】レポート入力画面を例示する図である。
【図９】検査の詳細に係る表示例を示す図である。
【図１０】本日のメモに係る表示例を示す図である。
【図１１】患者メモに係る表示例を示す図である。
【図１２】サマリ句入力に係る表示例を示す図である。
【図１３】頻出句入力に係る表示例を示す図である。
【図１４】入力支援テンプレートの表示例を示す図である。
【図１５】レポート検索に係る機能的な構成を示す図である。
【図１６】検索条件入力画面の表示例を示す図である。
【図１７】検索条件に係る詳細情報入力画面の表示例を示す図である。
【図１８】検索条件に係る詳細情報入力画面の表示例を示す図である。
【図１９】検索結果表示画面の表示例を示す図である。
【図２０】検索結果表示画面の表示例を示す図である。
【図２１】表示パターン編集画面の表示例を示す図である。
【図２２】表示パターン編集画面の表示例を示す図である。
【図２３】レポート検索の動作フローを示すフローチャートである。
【図２４】レポート検索の動作フローを示すフローチャートである。
【図２５】一変形例のレポート参照に係る機能的な構成を示す図である。
【図２６】一変形例の入力支援テンプレートに係る表示例を示す図である。
【図２７】一変形例に係るレポート参照画面の表示例を示す図である。
【図２８】一変形例に係るレポート参照の動作フローを示すフローチャートである。
【図２９】一変形例に係るレポート参照の動作フローを示すフローチャートである。
【発明を実施するための形態】
【００４８】
以下、本発明の一実施形態を図面に基づいて説明する。
【００４９】
＜(1)情報処理システムの全体構成＞
図１は、一実施形態に係る情報処理システム１の全体構成を示す図である。
【００５０】
情報処理システム１は、医療情報サーバ１００、ＣＲ（Computed Radiography）装置２０１、超音波診断装置（ＵＳ装置）２０２、内視鏡装置（ＥＳ装置）２０３、および端末３０１〜３０３を備える。そして、医療情報サーバ１００は、ＣＲ装置２０１、ＵＳ装置２０２、およびＥＳ装置２０３に対してデータの送受信が可能な態様で接続されるとともに、該医療情報サーバ１００は、ネットワーク回線ＮＴＷを介して各端末３０１〜３０３に対してデータ送受信が可能な態様で接続される。
【００５１】
医療情報サーバ１００は、診療対象である多数の患者に係る医療情報（以下「診療情報」とも称する）を記憶する診療情報データベース（ＤＢ）１５１を有する。この診療情報ＤＢ１５１には、多数の検査が列挙されたリスト（検査リスト）が含まれる。
【００５２】
そして、診療情報ＤＢ１５１には、検査リストに列挙された検査によって得られた多数の画像データ、該多数の画像データにそれぞれ対応する読影レポートを示すレポートデータが、検査リストに列挙された検査ＩＤと関連付けられて格納される。また、診療情報ＤＢ１５１には、患者や検査に係る情報を示す属性情報が検査リストに列挙された検査ＩＤと関連付けられて格納されている。
【００５３】
ここで、診療情報ＤＢ１５１に格納される画像データには、ＣＲ装置２０１、ＵＳ装置２０２、およびＥＳ装置２０３の少なくとも１つの検査装置によって得られた画像データが含まれる。なお、診療情報ＤＢ１５１は、多数のレポートデータが格納されている点に着目すれば、多数のレポートデータが格納されたデータベース（レポートＤＢ）である。
【００５４】
医療情報サーバ１００では、診療情報ＤＢ１５１に対する各種情報の書き込みと該診療情報ＤＢ１５１からの各種情報の読み出しとが行われるとともに、診療情報ＤＢ１５１に格納される各種情報に基づいた情報処理が行われる。
【００５５】
端末３０１〜３０３は、例えば、一般的なパーソナルコンピュータ（パソコン）によって構成され、端末３０１〜３０３は、相互に同様な構成を有する。そして、該端末３０１〜３０３は、例えば、放射線科の読影医によって使用される。
【００５６】
各端末３０１〜３０３では、診療情報ＤＢ１５１に格納される各種検査に係る画像データを可視的に表示させつつ各種検査に対するレポート（ここでは、読影レポート）の入力を行うことが可能である。そして、該読影レポートに係るデータ（レポートデータ）は、読影対象の画像データと関連付けられて、診療情報ＤＢ１５１に格納される。
【００５７】
また、各端末３０１〜３０３では、読影レポートの入力を行う際に、医療情報サーバ１００に格納される各種情報の利用が可能となっている。
【００５８】
例えば、医療情報サーバ１００では、診療情報ＤＢ１５１に蓄積される過去の複数のレポートデータが構造化され、該複数の構造化されたレポートデータ（構造化レポートデータ）が蓄積されたデータベース（構造化情報ＤＢ）１５２が構築される。また、このとき、複数の読影レポートで使用される用語が項目名毎に列挙されるテーブル（用語テーブル）１５３も構築される。そして、端末３０１（３０２，３０３）からの検索条件に合致する構造化レポートデータが構造化情報ＤＢ１５２から抽出され、該構造化レポートデータが端末３０１（３０２，３０３）において可視的に出力される。
【００５９】
また、例えば、医療情報サーバ１００は、用語テーブル１５３に格納される情報に従って、読影レポートを構成する要素の項目名毎に、用語の１以上の候補（選択肢）を各端末３０１〜３０３に提供する。このとき、各端末３０１〜３０３では、読影レポートの入力を支援するテンプレート上において、各項目名に対して１以上の用語の候補が列挙される。
【００６０】
つまり、読影医等のユーザは、過去の読影レポートの検索および閲覧が可能であり、過去の情報を参考にしつつ、テンプレート上で用語の候補から所望の用語を指定することで、読影レポートを作成することができる。
【００６１】
なお、読影レポートの入力（レポート入力）に係る機能および構造化情報ＤＢ１５２の構築に係る機能と、構造化レポートデータの検索（レポート検索）の機能については更に後述する。
【００６２】
図２は、一実施形態に係る情報処理システム１に係る機能的な構成を示すブロック図である。
【００６３】
図２で示されるように、医療情報サーバ１００は、ＣＰＵ１１０およびメモリ１５０をバスライン１０１に接続した一般的なコンピュータの構成を有する。なお、メモリ１５０は、適宜ＲＡＭやＲＯＭやハードディスク等の記憶部を含む。また、バスライン１０１は、インターフェイス（Ｉ／Ｆ）１６０を介してネットワーク回線ＮＴＷに接続される。また、ＣＰＵ１１０がメモリ１５０に格納されるプログラムに従って動作することにより、医療情報サーバ１００の各種機能および動作が実現される。
【００６４】
端末３０１〜３０３は、相互に同様な構成を有し、それぞれＣＰＵ３１０およびメモリ３５０をバスライン６０１に接続した一般的なコンピュータの構成を有する。メモリ３５０は、適宜ＲＡＭやＲＯＭやハードディスク等の記憶部を含む。また、バスライン６０１は、インターフェイス（Ｉ／Ｆ）３６０を介してネットワーク回線ＮＴＷに接続され、適宜インターフェース（図示を省略）等を介して表示部３３０および操作部３４０にも接続される。表示部３３０は、例えば、液晶ディスプレイやＣＲＴ等によって構成され、操作部３４０は、キーボードやマウス等を有し、ユーザによる操作に応答して各種信号の入力を受け付ける。
【００６５】
この端末３０１〜３０３は、ＣＰＵ３１０がメモリ３５０に格納されるプログラムに従って動作することにより、端末３０１〜３０３における各種機能および動作が実現される。なお、上述したように、端末３０１〜３０３が同様な構成を有するため、本明細書では、端末３０１を適宜代表例として説明する。
【００６６】
以下、情報処理システム１における（ｉ）構造化情報ＤＢ１５２の構築とレポート入力、および（ii）レポート検索、の各機能について順次説明する。
【００６７】
＜(2)構造化情報ＤＢの構築とレポート入力＞
＜(2-1)構造化情報ＤＢの構築とレポート入力とに係る機能的な構成＞
図３は、情報処理システム１における構造化情報ＤＢの構築とレポート入力とに係る機能的な構成を示すブロック図である。なお、図３で示される機能的な構成は、医療情報サーバ１００、および端末３０１において、それぞれハードディスク等の記憶部に記憶されるプログラムがＣＰＵ等で実行されることで実現される。また、当該機能的な構成で実行される各種情報処理において一時的に生成される各種データは、医療情報サーバ１００、および端末３０１にそれぞれ内蔵されるＲＡＭ等に適宜一時的に記憶される。
【００６８】
図３で示されるように、医療情報サーバ１００は、機能的な構成として、データ読出部１１１、読影済判定部１１２、構造化処理部１１３、支援情報取得部１１４、およびデータ書込部１１５を有する。更に、医療情報サーバ１００は、メモリ１５０内に格納される診療情報ＤＢ１５１、構造化情報ＤＢ１５２、および用語テーブル１５３を有する。また、端末３０１は、機能的な構成として、レポート生成部３１１、タスク管理部３１２、および表示制御部３１３を有する。
【００６９】
＜(2-1-1)構造化情報ＤＢの構築＞
データ読出部１１１は、診療情報ＤＢ１５１から、読影レポートを示すレポートデータと、該レポートデータに対応する属性情報（例えば、患者属性、および検査属性等に係る情報）と、検査リストを示す情報（検査リスト情報）とを読み込む。そして、データ読出部１１１は、レポートデータと属性情報と検査リスト情報とを読影済判定部１１２に送出する。
【００７０】
読影済判定部１１２は、検査リスト情報を参照することで、各検査の読影レポートについて所見文等が書き込まれて読影レポートが完成されているか否かを判定する。なお、検査リスト情報には、所見文等が書き込まれて読影レポートが完成された状態にあるか否かを示す情報が含まれる。そして、読影済判定部１１２は、作成済みのレポートデータを属性情報とともに構造化処理部１１３に送出する。
【００７１】
構造化処理部１１３は、読影レポートに含まれる自然文である所見文から必要な要素（ここでは用語等）を抽出するとともに、属性情報に含まれる各種要素も抽出し、ＲＤＦ（Resource Description Framework）を利用して構造化を行う。この読影レポートの要素の構造化は、機械学習を利用して実現される。
【００７２】
ここで、構造化処理部１１３における機械学習および読影レポートの構造化について説明する。
【００７３】
例えば、構造化処理部１１３は、教師データとして学習用コーパス等が与えられることで、構造化の基準となる情報を学習する。
【００７４】
学習用コーパスは、読影レポートの所見文の形式（文章モデル）に準じた大量のテキストデータを含む。この文章モデルは、例えば、撮影条件（撮影条件−結び）→基本部位（基本部位−結び）→基本所見（特徴−結語）→診断（診断−結び）といった具合に、読影レポートの所見文の構成を示す。そして、学習用コーパスでは、例えば、所見文の文章モデルを構成する各要素に係る項目名が各用語等にタグ付けされている。
【００７５】
要素の項目名としては、例えば、「カテゴリ」「撮影条件」「基本部位」「基本所見」および「診断」等が挙げられる。
【００７６】
そして、学習用コーパスでは、例えば、「骨」「胸膜（辺縁）」・・・等の用語に対して要素の項目名「カテゴリ」がタグ付けされる。「正面像」「側面像」「側臥位像」・・・等の用語に対して要素の項目名「撮影条件」がタグ付けされる。「肺野全体」「上肺野」・・・等の用語に対して要素の項目名「基本部位」がタグ付けされる。「均等影」「縞状影」・・・等の用語に対して要素の項目名「基本所見」がタグ付けされる。「肺水腫」「陳旧性肺結核」・・・等の用語に対して要素の項目名「診断」がタグ付けされる。
【００７７】
なお、学習用コーパスが構造化処理部１１３に対して外部から与えられる際に、結語（結び）をある程度特定した代表的な文章モデルを示すデータも外部から与えられる。
【００７８】
構造化処理部１１３の機械学習機能は、学習用コーパスから用語等を抜き出し、対応する項目名毎にそれぞれ記憶する。つまり、構造化処理部１１３では、学習用コーパスを含む教師データを学習教材とし、教師データを参照して項目名毎に各項目名に係る用語等を学習して記憶する。ここで、学習されて記憶されるデータは、既存の読影レポートを構成する各要素をどの様な項目名に係る要素に分解するのかを示すモデルのデータ（モデルデータ）として使用される。
【００７９】
更に、構造化処理部１１３は、上述の如く学習されたモデルデータを基準としつつ、公知のＳＶＭ（Support Vector Machine）を用いて、構造化処理部１１３に入力される読影レポートを対象として、項目名と実際に使用されている用語等とを認識する。
【００８０】
なお、上述した機械学習の方法を用いると、予め教師データにおいて与えられた要素（ここでは、用語等）についてしか、項目名を認識することができないが、次のいわゆるＳＶＭ（Support Vector Machine）を用いた機械学習の方法を利用することで、予め教師データで与えられていなかった要素についても、項目名を認識することができる。例えば、ＳＶＭを利用した機械学習により、学習用コーパスを形態素解析によって形態素に分解し、形態素ごとに、形態素そのもの、形態素の品詞、形態素の活用形、前後（例えば前後２つ）の形態素の情報等を用いて、ある項目名に係る形態素が出現するパターン（出現パターン）が学習されることで、モデルデータの一部が生成される。
【００８１】
そして、構造化処理部１１３では、モデルデータに基づき、レポートデータおよび属性情報に含まれる各種情報が、項目名毎に、用語（要素）に分解されてＲＤＦを用いて記述されることで、読影レポートに係る情報が構造化される。ここでは、特に、レポートデータに係る所見文から２以上の用語が認識されれば、該２以上の要素に対して、それぞれ対応する項目名が関連付けられることで、構造化レポートデータが生成される。
【００８２】
図４および図５は、自然文で記載された所見文を構造化する処理（構造化処理）を具体的に説明するための図である。
【００８３】
構造化処理部１１３では、図４で示される所見文（「正面像にて、上肺野に、結節影およびスリガラス影を認める。肺炎を疑う。」）が入力されると、図５で示されるように、項目名「撮影条件」について用語「正面像」と結び「にて、」とが認識され、項目名「基本部位」について用語「上肺野」と結び「に、」とが認識され、項目名「基本所見」について用語「結節影」「スリガラス影」と結び「を認める。」とが認識され、項目名「診断」について用語「肺炎」と結び「を疑う。」とが認識される。
【００８４】
上述されたように、構造化処理部１１３によって各項目名に係る用語と結びとが認識された所見文については、構造化処理部１１３において、図６で示されるように、ＲＤＦで記述されることで構造化処理が完了する。ここでは、レポートデータに係る情報だけでなく、該レポートデータに対応する属性情報に含まれる要素も含めた形で、構造化処理が行われる。ここで、属性情報に含まれる要素には、例えば、患者ＩＤ、患者氏名、振り仮名、性別、年齢、画像ＩＤ、画像の記憶場所、検査ＩＤ、検査日時等が挙げられる。このようにして、構造化文書データとしての構造化レポートデータが生成される。なお、図６で示されるように、各構造化レポートデータには、複数の項目名に係る要素が所定の従属関係に従って階層的に関連付けられたデータが含まれる。なお、構造化レポートデータを構成する項目名としては、図６で示されるものに限られず、項目名の種類が加減されても良い。
【００８５】
このように、データ生成手段としての構造化処理部１１３によって、自然文である所見文を構成する２以上の要素が項目別に識別可能な態様となるように該所見文が構造化されることで、構造化レポートデータが生成される。
【００８６】
そして、構造化処理部１１３では、図６で示される様な構造化レポートデータが、診療情報ＤＢ１５１に格納される多数の読影済みのレポートデータについてそれぞれ生成される。このようにして生成された多数の構造化レポートデータがメモリ１５０に蓄積されることによって、構造化情報ＤＢ１５２が構築される。
【００８７】
ここで、構造化情報ＤＢ１５２が構築される際には、メモリ１５０において項目名毎に各項目名に係る要素（用語等）が列挙されるテーブル（用語テーブル）１５３が生成される。
【００８８】
なお、構造化情報ＤＢ１５２および用語テーブル１５３を構成する情報は、検査部位（例えば、ＣＨＥＳＴやＨＥＡＤ等）とモダリティ（例えば、ＣＲ，ＥＳ，ＵＳ等）に係る用語の組み合わせ毎に区別可能な態様で蓄積され、更に、カテゴリに係る用語毎に区別可能な態様で蓄積される。
【００８９】
なお、同義語（例えば「Ｔ２強調画像」と「Ｔ２Ｗ１」等）が多いと、用語テーブル１５３に格納される用語の数が増大し過ぎる。そこで、同義語については、構造化処理部１１３によって、用語テーブル１５３が生成される際に、代表的な１つの用語に置き換えられる。この様な語句の代表的な用語への置き換えについては、教師データに、複数の用語と代表的な用語とを対応付けたテーブルを含ませることで、実現される。
【００９０】
また、読影レポートでは、例えば、項目名「基本部位」「基本所見」に対して、小分類、接頭語（接頭辞）、および接尾語（接尾辞）等の用語が付加される場合が多い。例えば、「右前頭葉の白質」は、基本部位の用語「前頭葉」、小分類の用語「白質」、接頭語の用語「右」が複合したものである。そこで、構造化処理部１１３では、自然文である所見文から、項目名「基本部位」「基本所見」について、詳細な項目名「小分類」、「接頭語」、および「接尾語」に係る用語（以下「詳細要素」とも称する）が認識され、このような詳細要素も含めた態様で、構造化レポートデータが生成される。なお、用語テーブル１５３も、詳細要素も含めた態様で生成される。
【００９１】
ところで、診療情報ＤＢ１５１に蓄積される読影レポートは、端末３０１〜３０３からの入力に応じて新たな読影レポートが生成される度に増加する。この時間とともに更に蓄積されていく読影レポートも過去の知識として利用できれば有効である。特に、これまでにない所見文等が新たに蓄積された読影レポートに含まれる場合には、過去の知識が更に進化するため、有効価値が高い。新たな読影レポートの追加等については更に後述するが、例えば、所見文を構成する各要素の項目名毎に、実際に入力する要素の指定に応答して、過去の知識が進化する。
【００９２】
＜(2-1-2)レポート入力＞
＜(2-1-2-1)レポート入力の対象となる検査の指定＞
図７は、各端末３０１〜３０３において、読影レポートを作成する際に、読影レポートの作成対象となる検査を指定する目的で用いられる画面（検査一覧画面）Ｔ０を例示する図である。
【００９３】
検査一覧画面Ｔ０は、各端末３０１〜３０３において、所定のソフトウエアが起動された後に、所定の操作が行われることで、表示制御部３１３による制御によって表示部３３０に表示される。例えば、端末３０１のユーザである読影医による操作部３４０の操作に応じて、診療情報ＤＢ１５１に格納される検査リスト情報がデータ読出部１１１を介して端末３０１に入力される。そして、表示制御部３１３の制御下で表示部３３０において検査リスト情報が可視的に出力されることにより、検査一覧画面Ｔ０の表示が実現される。
【００９４】
図７で示されるように、検査一覧画面Ｔ０には、検査に係る情報（具体的には、患者ＩＤ、患者氏名、生年月日、年齢、性別、状態、検査ＩＤ、検査日、検査部位、モダリティ、画像枚数）が一覧表示される。この検査一覧画面Ｔ０では、状態「未読影」が付された検査が、読影レポートが作成されていない検査にあたる。また、検査一覧画面Ｔ０では、読影医による操作部３４０の操作に応じて、太枠カーソルＣＳ１が上下に移動され、所望の検査に合わされた状態で、操作部３４０の決定ボタン（例えば、リターンキー）が押下されると、太枠カーソルＣＳ１で囲まれた１つの検査が読影対象の検査（読影対象検査）として指定される。
【００９５】
このように、読影対象検査が指定されると、表示部３３０で表示される画面が検査一覧画面Ｔ０から、読影対象検査に係る画像データが大きく可視的に出力される画面（検査画像表示画面）に遷移する。そして、該検査画像表示画面において、ユーザによって画像が視認された上で、レポート入力を行う画面の表示を要求するボタンが押下されると、表示部３３０で表示される画面が、レポート入力画面Ｔ１（図８）に遷移する。このとき、タスク管理部３１２によって、読影対象検査に対応する新規な読影レポートの作成に係るタスクが特定され、診療情報ＤＢ１５１からデータ読出部１１１を介して、読影対象検査に係る各種情報およびデータが読み込まれる。
【００９６】
＜(2-1-2-2)レポート入力画面＞
図８は、レポート入力画面Ｔ１を例示する図である。レポート入力画面Ｔ１は、主に領域Ａ１〜Ａ９によって構成される。
【００９７】
領域Ａ１には、読影対象検査に係る検査の詳細（例えば、図９）が表示され、領域Ａ２には、読影対象検査に係る本日のメモ（例えば、図１０）が表示され、領域Ａ３には、読影対象検査に係る患者に関するメモ（例えば、図１１）が表示され、領域Ａ４には、読影レポートで一般的に使用される概要を示す句（サマリ句）の一覧（例えば、図１２）が表示され、領域Ａ５には、読影レポートで頻繁に使用される定型句（頻出句）の一覧（例えば、図１３）が表示される。
【００９８】
領域Ａ６には、例えば、読影対象検査に係る画像が表示されたり、読影レポートの作成を支援するために、用語テーブル１５３等から取得される情報がテンプレートの形式で可視的に提示される。領域Ａ７には、読影医の操作に応じて読影レポートを構成する所見文が記入される。
【００９９】
領域Ａ８には、コマンドを入力するためのアイコン（ここでは、登録ボタン、ビュアーボタン、クリアボタン）が列挙される。なお、登録ボタンは、レポート入力画面Ｔ１で作成された読影レポートを構成する所見文や添付画像の内容を確定して新規に登録するためのボタンである。ビュアーボタンは、表示部３３０に表示される画面を、検査画像表示画面に遷移させるためのボタンである。クリアボタンは、レポート入力画面Ｔ１で作成された読影レポートを構成する所見文や添付画像の内容をクリアするボタンである。領域Ａ９には、読影医の操作に応じて代表的な画像が添付される。
【０１００】
次に、領域Ａ６における表示内容を利用して所見文を入力する動作について説明する。読影レポートの作成に際しては、読影医は、検査画像表示における各種画像を視認した上で、所見文等を記入するとともに、代表的な画像を添付する。このため、読影医は、検査画像表示画面における各種画像を視認した後に、操作部３４０を種々操作することで、表示部３３０の表示画面をレポート入力画面Ｔ１に遷移させることで、読影レポートの入力を支援するためのテンプレート（入力支援テンプレート）を表示部３３０に表示させる。
【０１０１】
図１４は、領域Ａ６に表示される入力支援テンプレートの表示例を示す図である。この入力支援テンプレートは、読影対象検査に係る検査部位とモダリティとの組み合わせに応じたものとなる。図１４では、一例として、検査部位「ＣＨＥＳＴ」とモダリティ「ＣＲ」の組み合わせに応じた入力支援テンプレートが示されている。なお、入力支援テンプレートにおける各種入力および指定は、読影医による操作部３４０の操作に応答して入力される信号に基づいてレポート生成部３１１の制御下で行われる。
【０１０２】
図１４で示されるように、入力支援テンプレートでは、上部に、カテゴリ指定ボタンＳＬ１〜ＳＬ６が表示され、中央部に、選択肢列挙領域Ａ１１〜Ａ１４が表示され、下部に、用語追加ボタンＢａ１１〜Ｂａ１４、テキストボックスＢｘ１１〜Ｂｘ１４、結びリストＤＬ１１〜ＤＬ１４、検索モードボタンＢＲ、入力ボタンＢＴ１１、およびリセットボタンＢＴ１２が表示される。
【０１０３】
カテゴリ指定ボタンＳＬ１〜ＳＬ６は、入力対象の読影レポートに係るカテゴリの用語を選択的に指定するためのボタンである。なお、一般的には、用語テーブル１５３から、読影対象検査に係る検査部位とモダリティに対応するカテゴリの１以上の用語が認識されることで、該１以上の用語を選択的に指定するためのボタンが示される。図１４で示される入力支援テンプレートでは、６つのカテゴリ指定ボタンＳＬ１〜ＳＬ６のうちの何れか１つのボタンがマウスポインタＭＰで選択的に押下されることで、入力対象の読影レポートに係るカテゴリの用語が選択的に指定される。
【０１０４】
図１４で示される入力支援テンプレートでは、カテゴリに係る６つの用語「骨」「胸膜（辺縁）」「胸膜」「肺」「縦隔」「軟部」のうちから１つの用語が指定される。ここで、所望のカテゴリの用語が指定されると、支援情報取得部１１４によって、用語テーブル１５３から、指定されたカテゴリの用語に対して分類されている各項目名に係る用語のデータが端末３０１に送られる。そして、このときに得られる各項目名に係る用語のデータに基づいて、表示制御部３１３の制御下で、選択肢列挙領域Ａ１１〜Ａ１４における可視的な出力が表示部３３０において実現される。
【０１０５】
選択肢列挙領域Ａ１１〜Ａ１４は、入力支援テンプレートの中央部を占める大きな領域であり、左から右へとこの順番で順次に並べられる。具体的には、選択肢列挙領域Ａ１１には、項目名「撮影条件」に係る複数の用語の選択肢（例えば、正面像、側面像、および側臥位像）が上から順に列挙される。選択肢列挙領域Ａ１２には、項目名「基本部位」に係る複数の用語の選択肢（例えば、肺野全体、上肺野、中肺野、・・・）が上から順に列挙される。選択肢列挙領域Ａ１３には、項目名「基本所見」に係る複数の用語の選択肢（例えば、均等影、縞状影、粒状影、・・・）が上から順に列挙される。選択肢列挙領域Ａ１４には、項目名「診断」に係る複数の用語の選択肢（例えば、肺水腫、陳旧性肺結核、癌性リンパ管症、・・・）が上から順に列挙される。つまり、選択肢列挙領域Ａ１１〜Ａ１４において、項目名「撮影条件」「基本部位」「基本所見」「診断」に係る複数の用語の選択肢が、項目毎に区別可能な態様で提示される。
【０１０６】
選択肢列挙領域Ａ１１では、読影医による操作部３４０の操作に応じて、マウスポインタＭＰにより、所望の用語の選択肢の左に設けられるチェックボックスＣＢにチェックマークが記入されると、項目名「撮影条件」に対して所望の用語の選択肢が指定された状態となる。このとき、指定された用語が、項目名「撮影条件」に係る用語としてテキストボックスＢｘ１１に表示される。
【０１０７】
選択肢列挙領域Ａ１２では、読影医による操作部３４０の操作に応じて、マウスポインタＭＰにより、所望の用語の選択肢の左に設けられるチェックボックスＣＢにチェックマークが記入されると、項目名「基本部位」に対して所望の用語の選択肢が指定された状態となる。このとき、指定された用語が、項目名「基本部位」に係る用語としてテキストボックスＢｘ１２に表示される。
【０１０８】
選択肢列挙領域Ａ１３では、読影医による操作部３４０の操作に応じて、マウスポインタＭＰにより、所望の用語の選択肢の左に設けられるチェックボックスＣＢにチェックマークが記入されると、項目名「基本所見」に対して所望の用語の選択肢が指定された状態となる。このとき、指定された用語が、項目名「基本所見」に係る用語としてテキストボックスＢｘ１３に表示される。
【０１０９】
選択肢列挙領域Ａ１４では、読影医による操作部３４０の操作に応じて、マウスポインタＭＰにより、所望の用語の選択肢の左に設けられるチェックボックスＣＢにチェックマークが記入されると、項目名「診断」に対して所望の用語の選択肢が指定された状態となる。このとき、指定された用語が、項目名「診断」に係る用語としてテキストボックスＢｘ１４に表示される。
【０１１０】
また、選択肢列挙領域Ａ１１〜Ａ１４では、各用語の選択肢の右に設けられる詳細要素指定ボタンＰＳが、マウスポインタＭＰによって押下されると、指定された用語を修飾する接頭語や接尾語等といった修飾語を含む詳細要素の入力が可能な画面が表示部３３０に表示される。ここで、入力される接頭語や接尾語等は、指定された用語を修飾する態様で、対応するテキストボックスＢｘ１１〜Ｂｘ１４に表示される。例えば、項目名「基本部位」に対しては、接頭語「左」「右」「上部」「下部」等の入力が可能であり、項目名「基本所見」に対しては、修飾語「淡い」「濃い」等の入力が可能である。また、修飾語アイコンＰＩが付された用語の選択肢については、修飾語アイコンＰＩがマウスポインタＭＰによって押下されると、詳細要素指定ボタンＰＳが押下された場合と同様に、指定された用語を修飾する接頭語や接尾語等といった修飾語を含む詳細要素の入力が可能な画面が表示部３３０に表示される。
【０１１１】
なお、各テキストボックスＢｘ１１〜Ｂｘ１４では、カーソルを出現させ、キーボードによる入力等によって、任意の用語を直接的に記入することもできる。
【０１１２】
用語追加ボタンＢａ１１は、テキストボックスＢｘ１１に記入された用語を、用語テーブル１５３において項目名「撮影条件」に係る用語として登録させるためのボタンである。用語追加ボタンＢａ１２は、テキストボックスＢｘ１２に記入された用語を、用語テーブル１５３において項目名「基本部位」に係る用語として登録させるためのボタンである。用語追加ボタンＢａ１３は、テキストボックスＢｘ１３に記入された用語を、用語テーブル１５３において項目名「基本所見」に係る用語として登録させるためのボタンである。用語追加ボタンＢａ１４は、テキストボックスＢｘ１４に記入された用語を、用語テーブル１５３において項目る「診断」に係る用語として登録させるためのボタンである。
【０１１３】
結びリストＤＬ１１は、項目名「撮影条件」に係る結びの言葉を選択的に指定するリストである。結びリストＤＬ１２は、項目名「基本部位」に係る結びの言葉を選択的に指定するリストである。結びリストＤＬ１３は、項目名「基本所見」に係る結びの言葉を選択的に指定するリストである。結びリストＤＬ１４は、項目名「診断」に係る結びの言葉を選択的に指定するリストである。なお、各結びリストＤＬ１１〜ＤＬ１４は、マウスポインタＭＰによってプルダウンされつつ、１つの結びの言葉を選択的に指定することが可能な所謂プルダウンリストの形式を有する。
【０１１４】
入力ボタンＢＴ１１は、所見文の入力を指示するボタンである。４つの項目名「撮影条件」「基本部位」「基本所見」「診断」に係る４つのテキストボックスＢｘ１１〜Ｂｘ１４に用語がそれぞれ記入された状態で、入力ボタンＢＴ１１がマウスポインタＭＰで押下されると、４つのテキストボックスＢｘ１１〜Ｂｘ１４に記入された用語と結びリストＤＬ１１〜ＤＬ１４で指定された結び言葉とに基づいて、所見文が生成される。ここでは、レポート生成部３１１の制御下で、読影レポートの所見文に係る文章モデルに基づいて、所見文が生成される。ここで生成される所見文は、レポート入力画面Ｔ１の領域Ａ７（図８）に自動的に記入される。なお、領域Ａ７にカーソルを出現させて、キーボード等の入力によって、任意の所見文を直接的に記入することも可能である。
【０１１５】
リセットボタンＢＴ１２は、入力支援テンプレートにおける入力状態をリセットする指示を入力するためのボタンである。なお、リセットボタンＢＴ１２がマウスポインタＭＰで押下されると、テキストボックスＢｘ１１〜Ｂｘ１４に記入された用語が消去されるとともに、結びリストＤＬ１１〜ＤＬ１４で指定される結びの言葉がデフォルトの状態となる。
【０１１６】
検索モードボタンＢＲは、所見文の記入に際して、過去の読影レポートを参照するために、読影レポートを検索するモード（検索モード）に移行させるためのボタンである。ここでは、検索モードボタンＢＲがマウスポインタＭＰで押下されると、検索モードに移行される。なお、検索モードにおけるレポート検索については更に後述する。
【０１１７】
ところで、領域Ａ７に所見文が記入され、領域Ａ９に画像が添付されている状態で、領域Ａ８の登録ボタンがマウスポインタＭＰで押下されると、読影レポートの内容が確定される。そして、データ書込部１１５によって、診療情報ＤＢ１５１に新規な読影レポートに係るレポートデータが格納される。このとき、表示部３３０に表示される画面が、レポート入力画面Ｔ１から検査一覧画面Ｔ０（図７）に遷移する。
【０１１８】
ここで、各テキストボックスＢｘ１１〜Ｂｘ１４に記入された用語に基づいて領域Ａ７に所見文が記入されることで新規な読影レポートが生成される場合には、読影レポートは、既に構造化された状態となる。つまり、データ生成部としてのレポート生成部３１１において、自然文を構成する複数の要素に係る２以上の項目名に対して、それぞれ１以上の用語が指定されることによって、構造化情報ＤＢ１５２に蓄積される各構造化レポートデータが生成される。このような場合には、データ書込部１１５によって、レポート生成部３１１で生成される各構造化レポートデータに基づいて構造化情報ＤＢ１５２および用語テーブル１５３の記憶内容が更新される。
【０１１９】
一方、領域Ａ７に所見文が直接的に記入されることで新規なレポートデータが生成される場合には、該新規なレポートデータは、データ書込部１１５によって診療情報ＤＢ１５１に格納される。そして、構造化処理部１１３によって、該新規なレポートデータが構造化されることで構造化レポートデータが生成され、構造化情報ＤＢ１５２および用語テーブル１５３の記憶内容が更新される。このような処理では、所見文が入力されると、構造化情報ＤＢ１５２に蓄積される各構造化レポートデータが自動的に生成される。このため、複数の構造化レポートデータが蓄積される構造化情報ＤＢ１５２が容易に構築される。
【０１２０】
但し、複数の構造化レポートデータが蓄積される構造化情報ＤＢ１５２を短時間で構築する観点から言えば、レポート生成部３１１で各構造化レポートデータが生成される方が好ましい。このような構成では、自然文の解析によって構造化レポートデータを生成するための構成が不要となるからである。
【０１２１】
なお、領域Ａ８のクリアボタンがマウスポインタＭＰで押下されると、レポート入力画面Ｔ１で入力および添付された情報の内容が、全てクリアされる。
【０１２２】
＜(3)レポート検索＞
レポート入力画面Ｔ１において、検索モードボタンＢＲがマウスポインタＭＰで押下されると、端末３０１が検索モードに設定される。以下、この検索モードにおけるレポート検索に係る機能および動作について順次に説明する。
【０１２３】
＜(3-1)レポート検索に係る機能的な構成＞
図１５は、情報処理システム１におけるレポート検索に係る機能的な構成を示す図である。なお、図１５で示される機能的な構成は、医療情報サーバ１００、および端末３０１において、それぞれハードディスク等の記憶部に記憶されるプログラムがＣＰＵ等で実行されることで実現される。また、当該機能的な構成で実行される各種情報処理において一時的に生成される各種データは、医療情報サーバ１００、および端末３０１にそれぞれ内蔵されるＲＡＭ等に適宜一時的に記憶される。
【０１２４】
図１５で示されるように、医療情報サーバ１００は、機能的な構成として、レポート抽出部１１６を有する。また、端末３０１は、機能的な構成として、クエリ生成部３１４、情報分類部３１５、および分類条件設定部３１６を有する。なお、端末３０１は、上述したように表示制御部３１３を有し、該表示制御部３１３によって、レポート検索に係る各種画面の表示が制御される。
【０１２５】
＜(3-1-1)検索条件の入力＞
クエリ生成部３１４は、ユーザによる操作部３４０の操作に応じて入力される各種信号に応答して、検索条件に係るクエリ（検索クエリ）を生成する。ここで、検索クエリは、１以上の項目名と該１以上の項目名に係る１以上の用語とが関連付けられた検索条件を示す情報を含む。また、ここでは、構造化情報ＤＢ１５２がＲＤＦを用いて記述されているため、検索クエリに使用される言語としては、所謂ＳＰＡＲＱＬ（スパークル）と呼ばれる言語等が挙げられる。なお、構造化情報ＤＢ１５２がＲＤＢ(Relational database)の形式で記述されている場合には、検索クエリに使用される言語としては、所謂ＳＱＬ(Structured Query Language)等の言語が挙げられる。
【０１２６】
図１６は、端末３０１の表示部３３０で表示される検索条件入力画面Ｔ２の表示例を示す図である。検索条件入力画面Ｔ２は、読影医が検索条件を入力するための画面であり、レポート入力画面Ｔ１において検索モードボタンＢＲがマウスポインタＭＰで押下されることで、レポート入力画面Ｔ１の領域Ａ６に表示される。
【０１２７】
図１６で示されるように、検索条件入力画面Ｔ２では、予め設定された複数の項目名「モダリティ」「検査部位」「カテゴリ」「撮影条件」「基本部位」「基本所見」「診断」に対して、それぞれ用語を記入することができる。具体的には、テキストボックスＢｘ１に項目名「モダリティ」の用語が記入され、テキストボックスＢｘ２に項目名「検査部位」の用語が記入され、テキストボックスＢｘ３に項目名「カテゴリ」の用語が記入され、テキストボックスＢｘ４に項目名「撮影条件」の用語が記入される。また、テキストボックスＢｘ５に項目名「基本部位」の用語が記入され、テキストボックスＢｘ６に項目名「基本所見」の用語が記入され、テキストボックスＢｘ７に項目名「診断」の用語が記入される。
【０１２８】
なお、各テキストボックスＢｘ１〜Ｂｘ７には、例えば、読影医による操作部３４０のキーボードを用いた入力操作によって、任意の用語が記入される。但し、項目名「モダリティ」「検査部位」については、検索条件入力画面Ｔ２が表示される初期状態において、読影対象検査に係る用語がテキストボックスＢｘ１，Ｂｘ２に記入された状態となる。また、項目名「カテゴリ」については、項目名「モダリティ」「検査部位」のテキストボックスＢｘ１，Ｂｘ２と同様に、検索条件入力画面Ｔ２が表示される初期状態において、レポート入力画面Ｔ１で指定されることで現在選択されている用語がテキストボックスＢｘ３に記入された状態となる。更に、項目名「撮影条件」「基本部位」「基本所見」「診断」については、レポート入力画面Ｔ１で用語が指定されていれば、検索条件入力画面Ｔ２が表示される初期状態において、対応する項目のテキストボックスＢｘ４〜Ｂｘ７に指定されている用語が記入された状態となる。
【０１２９】
また、検索条件入力画面Ｔ２では、項目名「基本部位」「基本所見」に係る用語については、接頭語や接尾語等といった用語を修飾する詳細要素（修飾語等）の入力が可能となっている。
【０１３０】
例えば、項目名「基本部位」に係る用語がテキストボックスＢｘ５に記述された状態で、検索条件入力画面Ｔ２の詳細ボタンＤｂ１がマウスポインタＭＰで押下されると、図１７で示される画面（詳細情報入力画面）Ｔ３ａが、レポート入力画面Ｔ１の領域Ａ６に表示される。詳細情報入力画面Ｔ３ａでは、プルダウンリスト形式の接頭語リストＤＬ３１および接尾語リストＤＬ３２によって、テキストボックスＢｘ５に記述される用語を修飾する詳細要素（ここでは、接頭語および接尾語）を指定することができる。
【０１３１】
また、例えば、項目名「基本所見」に係る用語がテキストボックスＢｘ６に記述された状態で、検索条件入力画面Ｔ２の詳細ボタンＤｂ２がマウスポインタＭＰで押下されると、図１８で示される画面（詳細情報入力画面）Ｔ３ｂが、レポート入力画面Ｔ１の領域Ａ６に表示される。詳細情報入力画面Ｔ３ｂでは、プルダウンリスト形式の接頭語リストＤＬ３３によって、テキストボックスＢｘ６に記述される用語を修飾する詳細要素（ここでは、接頭語）を指定することができる。
【０１３２】
また、詳細情報入力画面Ｔ３ａ，Ｔ３ｂでは、キャンセルボタンＢＴ３２がマウスポインタＭＰで押下されると、単純に、詳細情報入力画面Ｔ３ａ，Ｔ３ｂの表示が終了される。一方、決定ボタンＢＴ３１がマウスポインタＭＰで押下されると、テキストボックスＢｘ５，Ｂｘ６に元々記入されている用語に、接頭語リストＤＬ３１，ＤＬ３３および接尾語リストＤＢ３２で指定されている修飾語が付加されて、テキストボックスＢｘ５，Ｂｘ６に記述される。なお、テキストボックスＢｘ１〜Ｂｘ７には、２以上の用語が、間隔を空けて記入されても良い。
【０１３３】
検索条件入力画面Ｔ２では、キャンセルボタンＢＴ２２がマウスポインタＭＰで押下されると、検索条件入力画面Ｔ２の表示が終了され、領域Ａ６に図１４で示された入力支援テンプレートが表示される状態に戻る。一方、検索実行ボタンＢＴ２１がマウスポインタＭＰで押下されると、検索条件入力画面Ｔ２に記入された条件に基づいた検索クエリが、クエリ生成部３１４によって生成される。
【０１３４】
このような検索条件の入力によって、複数の項目名「モダリティ」「検査部位」「カテゴリ」「撮影条件」「基本部位」「基本所見」「診断」のうちの１以上の項目名について、項目名と該項目名に係る１以上の用語とが関連付けられた情報を含む検索クエリが生成される。なお、ここでは、２以上のより多くの項目名について用語が指定されると、検索条件の内容が増加する。このような場合には、後述する検索結果の表示において表示される情報が絞り込まれる。
【０１３５】
また、一部の項目名にあたる１以上および２以下の項目名については、１以上の用語に対して１以上の詳細要素（修飾語等）を付加することが可能である。従って、検索クエリには、１以上の項目名と該１以上の項目名に属する１以上の要素に係る詳細な情報を示す詳細要素とが関連付けられた情報が含まれることがある。このような場合には、後述する検索結果の表示において表示される情報が絞り込まれる。
【０１３６】
＜(3-1-2)検索処理および検索結果の分類表示＞
レポート抽出部１１６は、クエリ生成部３１４からの検索クエリの入力に応答して、該検索クエリに対応する１以上の構造化レポートデータを構造化情報ＤＢ１５２から抽出する。例えば、図１６で示されるように、項目名「モダリティ」に対して用語「ＣＲ」が関連付けられ、項目名「検査部位」に対して用語「ＣＨＥＳＴ」が関連付けられ、項目名「カテゴリ」に対して用語「肺」が関連付けられ、項目名「撮影条件」に対して用語「正面像」が関連付けられ、項目名「基本所見」に対して用語「スリガラス影」が関連付けられる情報が、検索クエリに含まれる場合には、これらの情報に係る条件を満たす構造化レポートデータが、構造化情報ＤＢ１５２から抽出される。
【０１３７】
情報分類部３１５は、レポート抽出部１１６によって複数の構造化レポートデータが抽出された場合に、該複数の構造化レポートデータを、分類条件に基づいて分類する。ここで、分類条件は、後述する表示パターンの情報（表示パターン情報）によって規定され、所見文を構成する用語に係る１以上の項目名を含み、複数の構造化レポートデータの分類の基準となる。なお、表示パターン情報は、メモリ３５０に記憶される。そして、表示制御部３１３が、情報分類部３１５による分類結果に基づいて、レポート抽出部１１６によって抽出された複数の構造化レポートデータが表示部３３０において可視的に出力されるように制御する。
【０１３８】
図１９は、端末３０１で表示される検索結果表示画面Ｔ４の表示例を示す図である。検索結果表示画面Ｔ４は、検索結果が示される画面であり、レポート抽出部１１６によって抽出され且つ情報分類部３１５によって分類された複数の構造化レポートデータが可視的に出力される画面である。
【０１３９】
図１９で示されるように、検索結果表示画面Ｔ４の上部には、表示パターンを選択的に設定するためのプルダウン形式のリスト（表示パターンリスト）ＤＬ４１と、表示パターンを編集するモード（表示パターン編集モード）に移行させるためのボタン（パターン編集ボタン）ＢＴ４１とが示される。また、検索結果表示画面Ｔ４の中央部には、検索結果を示すリスト（検索結果リスト）Ｌ４０が示される。また、検索結果表示画面Ｔ４の下部には、検索条件の再入力を要求するためのボタンＢＴ４２が示される。
【０１４０】
表示パターンは、初期状態では、標準パターンに設定される。そして、表示パターンリストＤＬ４１をマウスポインタＭＰを用いて操作することで、表示パターンが、所望のパターンに設定される。ここで、表示パターン情報は、検索結果リストＬ４０において、ツリー構造の形式で要素（ここでは、用語）が階層的に示される項目名（ツリー表示項目名）と、リスト形式で要素が示される項目名（リスト表示項目名）とを規定する。
【０１４１】
例えば、図１９で示される検索結果表示画面Ｔ４が表示部３３０に表示される場合には、表示パターンとして設定される標準パターンでは、ツリー表示項目名として項目名「基本部位」「診断」が規定され、リスト表示項目名として項目名「所見文」「検査ＩＤ」「検査日」「患者ＩＤ」「患者氏名」が規定される。なお、ツリー表示項目名については、２以上の項目名が定められる場合には、該２以上の項目名に係る優先順位が定められる。図１９では、ツリー表示項目名の優先順位が項目名「基本部位」「診断」の順に設定されている場合の表示例が示されている。
【０１４２】
従って、ここでは、表示パターン情報のうちのツリー表示項目名およびその優先順位に係る情報が、分類条件として機能する。このため、情報分類部３１５では、表示パターンとして設定されているパターン（例えば、標準パターン）のうちのツリー表示項目名およびその優先順位に基づいて、レポート抽出部１１６で抽出された複数の構造化レポートデータが、ツリー表示項目名として定められた２以上の項目名に係る用語について、ツリー構造の形式で階層的に分類される。
【０１４３】
例えば、項目名「基本部位」に係る用語を含むことを基準として用語毎に複数の構造化レポートデータが分類されることで、１以上のグループ（上位のグループ）が形成される。そして、更に、各上位のグループを構成する構造化レポートデータが、項目名「診断」に係る用語を含むことを基準として用語毎に分類されることで、１以上のグループ（下位のグループ）が形成される。
【０１４４】
図１９で示される検索結果表示画面Ｔ４では、検索結果リストＬ４０が、ツリー表示項目名に係る用語のツリー構造を示す領域Ａ４１、およびリスト表示項目名に係る要素が順次に列挙される領域Ａ４２〜Ａ４６によって構成される。
【０１４５】
領域Ａ４１には、例えば、図１９で示されるように、項目名「基本部位」に係る用語「上肺野」にそれぞれ従属するように項目名「診断」に係る用語「気管支喘息」「肺炎」が表示される。なお、ツリー表示項目名に係る優先順位に基づいて情報分類部３１５によって階層的に分類される用語の従属関係は、図６で示される各構造化レポートデータにおける所定の従属関係とは異なる。そして、項目名「基本部位」に係る用語「上肺野」を含み且つ項目名「診断」に係る各用語「気管支喘息」「肺炎」を含む構造化レポートデータに係る情報が、項目名「診断」に係る対応する各用語を示す表示要素に従属するように示される。
【０１４６】
具体的には、領域Ａ４２から領域Ａ４６にわたる１行毎に１つの構造化レポートデータに係る情報が示される。ここでは、領域Ａ４２に所見文が示され、領域Ａ４３に検査ＩＤが示され、領域Ａ４４に検査日が示され、領域Ａ４５に患者ＩＤが示され、領域Ａ４６に患者氏名が示される。従って、図１９では、各構造化レポートデータを構成するリスト表示項目名「所見文」「検査ＩＤ」「検査日」「患者ＩＤ」「患者氏名」に係る要素が、１行を成すように表示される。なお、このリスト表示項目名に係る要素についても、表示パターン情報によって表示順が規定される。
【０１４７】
このような分類および階層的な表示により、ツリー表示項目名に係る用語が、過去の読影レポートにおいてどのように使用されているのか容易に把握することが可能となる。特に、階層的な分類および表示により、複数の構造化レポートデータが視覚的に把握し易い態様で表示される。例えば、項目名「基本所見」について用語「スリガラス影」を指定した検索条件に従ってレポート検索が行われる場合、検索結果表示画面Ｔ４（図１９）では、基本所見としてスリガラス影が記載された読影レポートにおいて、どのような部位や診断が含まれているのかが一目瞭然となる態様で表示される。このため、読影医は所望の情報を正確かつ短時間で見つけ出すことができる。すなわち、読影医は、多数の読影レポートによって構成される過去の知識を有効且つ効率良く利用することが可能となる。
【０１４８】
また、領域Ａ４１には、ツリー表示項目名に含まれる１つの項目名「診断」に係る用語「気管支喘息」「肺炎」に対して分類された構造化レポートデータの件数をそれぞれ示す表示要素ＤＣ１，ＤＣ２が、各用語「気管支喘息」「肺炎」の表示要素の右方に対応させた形態で可視的に出力される。図１９では、「気管支喘息」に属する構造化レポートデータの数が２件であり、「肺炎」に属する構造化レポートデータの数が６件である例が示されている。このような件数の表示により、読影医は、少数の構造化レポートデータしか分類されないツリー表示項目名に係る用語についても見落としなく容易に把握することが可能となる。なお、このような件数の表示は、１つの階層に係る用語について行われるだけに限られず、２つの階層に係る用語について等、１以上の階層に係る用語について行われれば良い。
【０１４９】
また、領域Ａ４１では、ツリー表示項目名に含まれる１つの項目名「診断」について、マイナスアイコンＣＯ１，ＣＯ２が、各用語「気管支喘息」「肺炎」の表示要素の左方に対応させた形態で可視的に出力される。マイナスアイコンＣＯ１，ＣＯ２は、項目名「診断」に係る各用語について、構造化レポートデータのリスト表示項目名に係る情報が領域Ａ４２〜Ａ４６に可視的に出力されている状態（以下「展開状態」とも「可視状態」とも称する）にあることを示している。
【０１５０】
このマイナスアイコンＣＯ１，ＣＯ２は、ユーザによる操作部３４０の操作に応じて、マウスポインタＭＰで操作されると、プラスアイコンに変更される。マイナスアイコンがプラスアイコンに変更されたツリー表示項目名に係る各用語については、構造化レポートデータのリスト表示項目名に係る情報が領域Ａ４２〜４６に可視的に出力されていない状態（以下「折り畳み状態」とも「非可視状態」とも称する）に移行する。
【０１５１】
例えば、図１９で示される用語「気管支喘息」に係るマイナスアイコンＣＯ１が、マウスポインタＭＰで操作されると、図２０で示されるように、プラスアイコンＣＣ１に変更される。このとき、検索結果リストＬ４０の表示態様が、用語「気管支喘息」に係る情報が領域Ａ４２〜Ａ４６に可視的に出力されている展開状態から、可視的に出力されていない折り畳み状態に移行するように設定される。
【０１５２】
なお、プラスアイコンは、ユーザによる操作部３４０の操作に応じて、マウスポインタＭＰで操作されると、マイナスアイコンに変更される。このとき、プラスアイコンがマイナスアイコンに変更されたツリー表示項目名に係る各用語については、構造化レポートデータのリスト表示項目名に係る情報が領域Ａ４２〜４６に可視的に出力されていない状態（折り畳み状態）から、可視的に出力されている状態（展開状態）に移行するように設定される。
【０１５３】
このような読影医の意図に応じた展開状態と折り畳み状態との切り替えによって、複数の構造化レポートデータに係る情報が視覚的に把握し易い態様で表示される。このため、読影医は所望の情報を短時間で認識することができる。なお、ここでは、１つのツリー表示項目名に係る各用語について、それぞれ展開状態と折り畳み状態とに設定することが可能であったが、１以上のツリー表示項目名に係る各用語について、それぞれ展開状態と折り畳み状態とに設定することが可能であれば良い。
【０１５４】
また、検索結果表示画面Ｔ４では、ユーザによる操作部３４０の操作に応じて、検索結果リストＬ４０における各リスト表示項目名の表示要素がマウスポインタＭＰで操作される毎に、各リスト表示項目名に属する情報の表示態様が、所定のルールに従った昇順の態様で可視的に出力される状態と、所定のルールに従った降順の態様で可視的に出力される状態との間で切り替えられる。このとき、構造化レポートデータ毎に該構造化レポートデータに係る情報が表示される１行の表示について表示順が入れ替えられる。但し、この昇順の態様と降順の態様との間の切り替えは、ツリー表示項目名の最も下位の項目名の用語に属する２以上の構造化レポートデータの情報の範囲内で行われる。
【０１５５】
なお、リスト表示項目名「所見文」に係る所定のルールとしては、例えば、五十音順の配列が挙げられ、リスト表示項目名「検査ＩＤ」に係る所定のルールとしては、例えば、アルファベット順および数字順の組合せの配列が挙げられ、リスト表示項目名「検査日」の所定のルールとしては、例えば、日程順の配列が挙げられる。また、リスト表示項目名「患者ＩＤ」の所定のルールとしては、例えば、アルファベット順および数字順の組合せの配列が挙げられ、リスト表示項目名「患者氏名」の所定のルールとしては、例えば、五十音順の配列が挙げられる。
【０１５６】
この様な昇順の態様と降順の態様との間の切り替えによれば、複数の構造化レポートデータに係る情報が視覚的に把握し易い態様で表示される。このため、読影医は所望の情報を短時間で認識することができる。なお、ここでは、５つのリスト表示項目名について、それぞれ昇順の態様および降順の態様とすることが可能であったが、１以上のリスト表示項目名について、昇順の態様および降順の態様とすることが可能であれば良い。
【０１５７】
また、検索結果表示画面Ｔ４では、マウスポインタＭＰを用いて表示パターンリストＤＬ４１において表示パターンの種類の設定が変更されると、変更後の表示パターン情報に応じて、検索結果にあたるレポート抽出部１１６によって抽出された２以上の構造化レポートデータの分類が、情報分類部３１５で再度行われる。そして、その分類結果が、検索結果リストＬ４０の表示内容に反映される。つまり、表示パターンの種類の設定が変更される度に、変更後の表示パターン情報に応じて、検索結果リストＬ４０の表示態様が変更される。
【０１５８】
＜(3-1-3)表示パターンの編集＞
図１９および図２０で示された検索結果表示画面Ｔ４が領域Ａ６に表示された状態で、読影医による操作部３４０の操作によって、マウスポインタＭＰでパターン編集ボタンＢＴ４１が押下されると、表示パターンの編集を行う表示パターン編集モードに設定される。表示パターン編集モードに設定されると、表示パターンの編集を行う画面（表示パターン編集画面）が領域Ａ６上に表示される。
【０１５９】
図２１は、端末３０１（３０２，３０３）の表示部３３０に表示される表示パターン編集画面Ｔ５の表示例を示す図である。表示パターン編集画面Ｔ５が表示部３３０に表示された状態で、読影医による操作部３４０の操作に応じて入力される各種信号に応答して、分類条件設定部３１６によって、表示パターンを構成する１以上の項目名が設定される。つまり、分類条件に含まれる分類の基準となる１以上の項目名が設定される。
【０１６０】
図２１で示されるように、表示パターン編集画面Ｔ５の左上部には、編集対象の表示パターンを選択するためのプルダウンリスト形式のリスト（編集対象選択リスト）ＤＬ５１が設けられる。表示パターン編集画面Ｔ５の右上部には、編集対象選択リストＤＬ５１で選択されている表示パターンをデフォルトの表示パターンとして指定するためのチェックボックスＣＢ５が設けられる。表示パターン編集画面Ｔ５の左中央部には、ツリー表示項目名が表示される領域Ａ５１と、リスト表示項目名が表示される領域Ａ５２とが設けられる。表示パターン編集画面Ｔ５の右中央部には、ツリー表示項目名およびリスト表示項目名として設定される候補（選択肢）が表示される領域Ａ５３が設けられる。また、表示パターン編集画面Ｔ５の下部には、削除ボタンＢＴ５１、保存ボタンＢＴ５２、別名保存ボタンＢＴ５３、および閉じるボタンＢＴ５４が設けられる。
【０１６１】
編集対象選択リストＤＬ５１では、初期状態では標準パターンのみが表示されるが、別名保存ボタンＢＴ５３がマウスポインタＭＰで押下されて、新規な表示パターンが別名で保存される度に、表示される表示パターンの種類が多くなる。
【０１６２】
チェックボックスＣＢ５にチェックマークが付されて、保存ボタンＢＴ５２または別名保存ボタンＢＴ５３がマウスポインタＭＰで押下されると、編集対象選択リストＤＬ５１に表示される表示パターンの種類が、デフォルトの表示パターンとして指定される。
【０１６３】
領域Ａ５１に表示される１以上の項目名は、ツリー表示項目名であり、上から順に表示される順番が優先順位を示す。なお、領域Ａ５１に２以上の項目名が表示される場合には、マウスポインタＭＰを用いて各項目名の表示要素のドラッグアンドドロップの操作が行われることで、領域Ａ５１に表示される２以上の項目名の表示順が変更される。
【０１６４】
また、領域Ａ５３に列挙される複数の項目名のうちの１つの項目名がマウスポインタＭＰで押下されることで、該１つの項目名が強調表示される。そして、該１つの項目名が強調表示されている状態で、第１追加ボタンＡＤ５１がマウスポインタＭＰで押下されると、該強調表示されている１つの項目名が領域Ａ５１に移動されることでツリー表示項目名に追加される。一方、領域Ａ５１に列挙される複数の項目名のうちの１つの項目名がマウスポインタＭＰで押下されると、該１つの項目名が強調表示される。そして、該１つの項目名が強調表示されている状態で、第１除外ボタンＥＸ５１がマウスポインタＭＰで押下されると、該強調表示されている１つの項目名が領域Ａ５３に移動されることでツリー表示項目名から除外される。
【０１６５】
図２２では、図２１で示される表示パターン編集画面Ｔ５において、ツリー表示項目名に項目名「基本所見」が追加された後の表示パターン編集画面Ｔ５が例示されている。
【０１６６】
領域Ａ５２に表示される１以上の項目名は、リスト表示項目名であり、上から順に表示される順番が優先順位を示す。なお、領域Ａ５２に２以上の項目名が表示される場合には、マウスポインタＭＰを用いて各項目名の表示要素のドラッグアンドドロップの操作が行われることで、領域Ａ５２に表示される２以上の項目名の表示順が変更される。
【０１６７】
また、領域Ａ５３に列挙される複数の項目名のうちの１つの項目名がマウスポインタＭＰで押下されると、該１つの項目名が強調表示される。そして、該１つの項目名が強調表示されている状態で、第２追加ボタンＡＤ５２がマウスポインタＭＰで押下されると、該強調表示されている１つの項目名が領域Ａ５２に移動されることでリスト表示項目名に追加される。一方、領域Ａ５２に列挙される複数の項目名のうちの１つの項目名がマウスポインタＭＰで押下されると、該１つの項目名が強調表示される。そして、該１つの項目名が強調表示されている状態で、第２除外ボタンＥＸ５２がマウスポインタＭＰで押下されると、該強調表示されている１つの項目名が領域Ａ５３に移動されることでリスト表示項目名から除外される。
【０１６８】
また、保存ボタンＢＴ５２がマウスポインタＭＰで押下されると、表示パターン編集画面Ｔ５の領域Ａ５１，Ａ５２に記入されている項目名に応じて、編集対象選択リストＤＬ５１で選択されている編集対象の表示パターンの情報が保存される。つまり、表示パターン情報の更新が行われる。また、別名保存ボタンＢＴ５３がマウスポインタＭＰで押下されると、新規な表示パターンの名称の入力を経て、表示パターン編集画面Ｔ５の領域Ａ５１，Ａ５２に記入されている項目名に対応する新規な表示パターンの情報が保存される。
【０１６９】
また、削除ボタンＢＴ５１がマウスポインタＭＰで押下されると、編集対象選択リストＤＬ５１で選択されている表示パターンの情報が削除される。但し、標準パターンの情報については、削除されないように設定される。また、閉じるボタンＢＴ５４がマウスポインタＭＰで押下されると、表示パターン編集画面Ｔ５の表示が終了されて、領域Ａ６上に表示される画面が検索結果表示画面Ｔ４となる。
【０１７０】
このような表示パターンの編集により、検索結果表示画面Ｔ４において、複数の構造化レポートデータが、読影医が意図した分類条件に基づいて分類された上で可視的に出力される。このため、読影医が所望の情報を効率良く閲覧することが可能となる。
【０１７１】
なお、閉じるボタンＢＴ５４がマウスポインタＭＰで押下されて、領域Ａ６上に表示される画面が、表示パターン編集画面Ｔ５から検索結果表示画面Ｔ４に遷移する際に、検索結果表示画面Ｔ４の表示パターンリストＤＬ４１において選択的に設定されている表示パターンについて、表示パターン編集画面Ｔ５で情報が変更されていれば、変更後の表示パターン情報に応じて、検索結果にあたるレポート抽出部１１６によって抽出された２以上の構造化レポートデータの分類が、情報分類部３１５で再度行われる。そして、その分類結果が、検索結果リストＬ４０の表示内容に反映される。
【０１７２】
＜(3-1-4)再検索＞
図１９および図２０で示された検索結果表示画面Ｔ４が領域Ａ６に表示された状態で、読影医による操作部３４０の操作によって、検索条件の再入力を要求するためのボタンＢＴ４２が、マウスポインタＭＰで押下されると、図１６で示された検索条件入力画面Ｔ２が、レポート入力画面Ｔ１の領域Ａ６に表示される。このとき、検索条件入力画面Ｔ２には、前回の検索条件に係る用語が各テキストボックスＢｘ１〜Ｂｘ７に記入された状態となっている。このため、検索条件入力画面Ｔ２において、項目名と該項目名に属する１以上の用語とが関係づけられた情報を、前回の検索条件に追加することが可能となる。
【０１７３】
つまり、一旦情報分類部３１５によって複数の構造化レポートデータが分類された後における読影医による操作部３４０の操作により、検索条件入力画面Ｔ２上で、前回の検索クエリにおいて用語が指定されていた１以上の項目名とは異なる１以上の別項目名について、１以上の用語を指定することができる。
【０１７４】
この様な検索条件の追加においては、クエリ生成部３１４によって、前回の検索クエリに対して、１以上の別項目名と該１以上の別項目名に係る１以上の用語とが関連付けられた情報が追加されることで、変更後の検索クエリが生成される。
【０１７５】
なお、この様な検索条件の追加においては、適宜１以上の用語に対して、該１以上の用語係る詳細な情報を示す詳細要素（修飾語等）が関連づけられた情報が、検索条件に追加される。また、検索条件の追加だけでなく、前回の検索条件の一部を修正することも勿論可能である。
【０１７６】
ここで、検索実行ボタンＢＴ２１がマウスポインタＭＰで押下されると、検索条件入力画面Ｔ２で変更された検索条件に基づいた検索クエリが、クエリ生成部３１４によって生成される。そして、該変更後の検索クエリに基づく再度の検索処理が行われる。この再度の検索処理、検索結果の分類、および分類後の検索結果の表示については、上述された処理と同様な処理が行われる。
【０１７７】
この様な構成により、一旦抽出された複数の構造化レポートデータが可視的に出力され、その内容を確認した後に、読影医が検索条件を増加させることによって、検索結果として表示される情報の更なる絞り込みが行われる。
【０１７８】
＜(3-2)レポート検索に係る動作＞
図２３および図２４は、情報処理システム１におけるレポート検索の動作フローを示すフローチャートである。本動作フローは、医療情報サーバ１００のＣＰＵ１１０および端末３０１〜３０３のＣＰＵ３１０において、所定のプログラムが実行されることで実現される。ここでは、端末３０１においてレポート入力画面Ｔ１（図８）が表示されている状態で、検索モードボタンＢＲがマウスポインタＭＰで押下されると、端末３０１が検索モードに設定されて、本動作フローが開始され、図２３のステップＳＴ１に進む。
【０１７９】
ステップＳＴ１では、表示制御部３１３によって、検索条件入力画面Ｔ２が表示部３３０に表示される。
【０１８０】
ステップＳＴ２では、クエリ生成部３１４によって、検索条件入力画面Ｔ２等における用語の入力、すなわち検索条件が受け付けられる。
【０１８１】
ステップＳＴ３では、クエリ生成部３１４によって、レポート検索がキャンセルされるか否か判定される。ここでは、検索条件入力画面Ｔ２においてキャンセルボタンＢＴ２２がマウスポインタＭＰで押下されると、レポート検索がキャンセルされたものと判定されて、本動作フローが終了される。一方、レポート検索がキャンセルされていなければ、ステップＳＴ４に進む。
【０１８２】
ステップＳＴ４では、クエリ生成部３１４によって、検索が開始されるか否か判定される。ここでは、検索条件入力画面Ｔ２において検索実行ボタンＢＴ２１が押下されると、検索の開始が指示されたものと判定されて、ステップＳＴ５に進む。一方、検索の開始が指示されていなければ、ステップＳＴ２に戻る。
【０１８３】
ステップＳＴ５では、クエリ生成部３１４によって、検索条件入力画面Ｔ２に記入された条件に基づいた検索クエリが生成されて、レポート抽出部１１６に対して送信される。
【０１８４】
ステップＳＴ６では、レポート抽出部１１６によって、検索クエリに対応する１以上の構造化レポートデータが構造化情報ＤＢ１５２から抽出される。このとき、抽出された１以上の構造化レポートデータが情報分類部３１５に送信される。
【０１８５】
ステップＳＴ７では、ステップＳＴ６で複数の構造化レポートデータが抽出されていれば、情報分類部３１５によって、該複数の構造化レポートデータが、表示パターン情報に応じた分類条件に基づいて分類される。このとき、表示パターン情報で規定されるツリー表示項目名およびその優先順位に基づいて、複数の構造化レポートデータが、ツリー表示項目名として定められる２以上の項目名に係る用語について、ツリー構造の形式で階層的に分類される。なお、ステップＳＴ６で１つの構造化レポートデータしか抽出されていなければ、情報分類部３１５の分類処理では、１つの構造化レポートデータが単純にツリー構造の形式で階層的に表されるデータが生成される。
【０１８６】
ステップＳＴ８では、表示制御部３１３によって、レポート抽出部１１６によって抽出され且つ情報分類部３１５によって分類された１以上の構造化レポートデータが可視的に出力される検索結果表示画面Ｔ４が、表示部３３０に表示される。
【０１８７】
ステップＳＴ９では、情報分類部３１５によって、表示パターンの変更が指示されたか否か判定される。ここでは、検索結果表示画面Ｔ４の表示パターンリストＤＬ４１がマウスポインタＭＰで操作されることで、表示パターンの種類の表示が変更されると、表示パターンの変更が指示されたものと判定されて、ステップＳＴ７に戻る。このとき、ステップＳＴ７において、１以上の構造化レポートデータの分類が変更後の表示パターンに応じて行われ、ステップＳＴ８において、分類後の１以上の構造化レポートデータが可視的に出力される検索結果表示画面Ｔ４が、表示部３３０に表示される。一方、ステップＳＴ９で、表示パターンの変更が指示されていなければ、ステップＳＴ１０に進む。
【０１８８】
ステップＳＴ１０では、表示制御部３１３によって、検索結果の表示が終了されるか否か判定される。ここでは、検索結果表示画面Ｔ４を閉じるための表示要素がマウスポインタＭＰで押下されると、検索結果表示画面Ｔ４の表示が終了されて、本動作フローが終了される。一方、検索結果表示画面Ｔ４を閉じるための表示要素がマウスポインタＭＰで押下されていなければ、図２４のステップＳＴ１１に進む。
【０１８９】
ステップＳＴ１１では、表示制御部３１３によって、検索条件の追加が要求されているか否か判定される。ここでは、検索結果表示画面Ｔ４において検索条件の再入力を要求するためのボタンＢＴ４２がマウスポインタＭＰで押下されると、検索条件の追加が要求されているものと判定され、図２３のステップＳＴ１に進む。一方、検索条件の追加が要求されていなければ、ステップＳＴ１２に進む。
【０１９０】
ステップＳＴ１２では、表示制御部３１３によって、表示パターンの編集が要求されているか否か判定される。ここでは、検索結果表示画面Ｔ４においてパターン編集ボタンＢＴ４１がマウスポインタＭＰで押下されると、表示パターンの編集が要求されているものと判定され、ステップＳＴ１３に進む。一方、表示パターンの編集が要求されていなければ、図２３のステップＳＴ８に進む。このとき、表示部３３０の領域Ａ６の全面に表示される画面が、検索結果表示画面Ｔ４となる。
【０１９１】
ステップＳＴ１３では、表示制御部３１３によって、表示パターン編集画面Ｔ５が表示部３３０に表示される。
【０１９２】
ステップＳＴ１４では、分類条件設定部３１６によって、表示パターン編集画面Ｔ５におけるツリー表示項目名およびリスト表示項目名等に係る情報の入力が行われる。つまり、表示パターンの編集操作が受け付けられる。
【０１９３】
ステップＳＴ１５では、分類条件設定部３１６によって、表示パターン編集画面Ｔ５において編集中の表示パターンを保存するか否か判定される。ここでは、表示パターン編集画面Ｔ５において保存ボタンＢＴ５２がマウスポインタＭＰで押下されると、編集中の表示パターンの保存が要求されているものとして、ステップＳＴ１６に進む。また、表示パターン編集画面Ｔ５において別名保存ボタンＢＴ５３がマウスポインタＭＰで押下されると、新規な表示パターンの名称の入力を経て、ステップＳＴ１６に進む。一方、編集中の表示パターンの保存が要求されていなければ、ステップＳＴ１７に進む。
【０１９４】
ステップＳＴ１６では、分類条件設定部３１６によって、表示パターン編集画面Ｔ５の領域Ａ５１，Ａ５２に記入されている項目名に対応する表示パターンの情報がメモリ３５０に記憶される。そして、ステップＳＴ１４に戻る。
【０１９５】
ステップＳＴ１７では、表示制御部３１３によって、表示パターン編集画面Ｔ５の表示が終了されるか否か判定される。ここでは、表示パターン編集画面Ｔ５の閉じるボタンＢＴ５４がマウスポインタＭＰで押下されると、表示パターン編集画面Ｔ５の表示が終了されるものと判定されて、ステップＳＴ１８に進む。一方、表示パターン編集画面Ｔ５の表示が終了されるものと判定されなければ、ステップＳＴ１４に戻る。
【０１９６】
ステップＳＴ１８では、表示制御部３１３によって、表示パターン編集画面Ｔ５の表示が終了される。
【０１９７】
ステップＳＴ１９では、情報分類部３１５によって、現在指定されている表示パターンが編集操作によって変更されたか否か判定される。ここで、検索結果表示画面Ｔ４で指定される表示パターンが編集操作によって変更されていれば、現在指定されている表示パターンが編集操作によって変更されたものと判定されて、図２３のステップＳＴ７に進む。このとき、編集操作によって変更された後の表示パターンに基づいて、１以上の構造化レポートデータの分類が再度行われ（ステップＳＴ７）、検索結果表示画面Ｔ４の表示が行われる（ステップＳＴ８）。一方、現在指定されている表示パターンが編集操作によって変更されていなければ、図２３のステップＳＴ８に進む。
【０１９８】
以上のように、本実施形態に係る情報処理システム１によれば、生成される検索クエリに対応する複数の構造化レポートデータが抽出され、該複数の構造化レポートデータが、分類条件に基づいて分類された上で可視的に出力される。このため、自然文を含む複数の文書データ（ここでは、読影レポート）を該自然文の内容に応じて分類して表示することが可能となる。これにより、例えば、類似症例について所見文の一覧を確認したい、同じ診断に係る症例を比較したい等といった医師の要求が満たされる。
【０１９９】
＜(4)変形例＞
なお、本発明は上述の実施の形態に限定されるものではなく、本発明の要旨を逸脱しない範囲において種々の変更、改良等が可能である。
【０２００】
◎例えば、上記一実施形態では、レポート検索によって構造化情報ＤＢ１５２から抽出された複数の構造化レポートデータが分類されて可視的に出力されたが、これに限られない。例えば、レポート検索が行われずに、構造化情報ＤＢ１５２に含まれる多数の構造化レポートデータが分類されて可視的に出力されたり、構造化情報ＤＢ１５２に含まれる多数の構造化レポートデータがカテゴリの用語毎に分類されて可視的に出力されたりしても良い。このような構成によっても、構造化情報ＤＢ１５２に蓄積される複数の構造化レポートデータが、分類条件に基づいて分類された上で可視的に出力される。このため、上記一実施形態と同様に、自然文を含む複数の文書データ（例えば、読影レポート等）を該自然文の内容に応じて分類して表示することが可能となる。以下、このような構成の具体例を示して説明する。
【０２０１】
図２５は、一変形例に係る情報処理システム１Ａにおいて過去の読影レポートを参照する際の処理（レポート参照処理）に係る機能的な構成を示す図である。なお、一変形例に係る情報処理システム１Ａは、上記一実施形態に係る情報処理システム１と比較して、レポート抽出部１１６がレポート読出部１１８に変更されることで、医療情報サーバ１００が医療情報サーバ１００Ａに変更され、クエリ生成部３１４が参照要請部３１７に変更されることで、端末３０１（３０２，３０３）が端末３０１Ａ（３０２Ａ，３０３Ａ）に変更されたものとなっている。なお、一変形例に係る情報処理システム１Ａのうち、上記一実施形態に係る情報処理システム１と同様な部分については、同じ符号を付して説明を省略し、以下では、異なる点について主に説明する。
【０２０２】
参照要請部３１７は、読影医による操作部３４０の操作に応じて、過去の読影レポートの参照を可能とするための信号（要請信号）をレポート読出部１１８に送信する。
【０２０３】
図２６は、一変形例に係る入力支援テンプレートＴ６Ａを例示する図である。一変形例に係る入力支援テンプレートＴ６Ａは、上記一実施形態に係る入力支援テンプレートＴ６の検索モードボタンＢＲが、過去の読影レポートの参照（レポート参照）を行うためのモード（参照モード）に移行させるためのボタン（参照モードボタン）ＢＲＡに変更されたものである。そして、この参照モードボタンＢＲＡがマウスポインタＭＰで押下されることで、参照要請部３１７からレポート読出部１１８に要請信号が送信される。
【０２０４】
レポート読出部１１８は、参照要請部３１７からの要請信号に応じて、構造化情報ＤＢ１５２から複数の構造化レポートデータを読み出す。ここでは、読影対象検査に係るモダリティと検査部位とに係る用語の組合せについて区別されて蓄積され、且つ６つのカテゴリ指定ボタンＳＬ１〜ＳＬ６において選択的に指定されたカテゴリの用語について区別されて蓄積されている１以上の構造化レポートデータが構造化情報ＤＢ１５２から読み出される。このとき、レポート読出部１１８によって複数の構造化レポートデータが読み出されると、該複数の構造化レポートデータが、情報分類部３１５によって、表示パターン情報で規定される分類条件に基づいて分類される。そして、表示制御部３１３の制御下で、情報分類部３１５によって分類された分類結果に基づいて、複数の構造化レポートデータが表示部３３０において可視的に出力される。
【０２０５】
図２７は、一変形例に係る情報処理システム１Ａにおいて過去の読影レポートを参照するための画面（レポート参照画面）Ｔ４Ａの表示例を示す図である。一変形例に係るレポート参照画面Ｔ４Ａは、上記一実施形態に係る検索結果表示画面Ｔ４と比較して、画面の名称が異なるものの、ほぼ同様な構成を有する。
【０２０６】
図２８および図２９は、一変形例に係る情報処理システム１Ａにおけるレポート参照の動作フローを示すフローチャートである。本動作フローは、医療情報サーバ１００ＡのＣＰＵ１１０および端末３０１Ａ〜３０３ＡのＣＰＵ３１０において、所定のプログラムが実行されることで実現される。ここでは、端末３０１Ａにおいて入力支援テンプレート（図２６）が表示されている状態で、参照モードボタンＢＲＡがマウスポインタＭＰで押下されると、端末３０１Ａが参照モードに設定されることで本動作フローが開始され、図２８のステップＳＰ１に進む。
【０２０７】
ステップＳＰ１では、レポート読出部１１８によって、構造化情報ＤＢ１５２から指定されたモダリティ、検査部位、およびカテゴリの用語に係る複数の構造化レポートデータが読み出される。このとき、読み出された１以上の構造化レポートデータが情報分類部３１５に送信される。
【０２０８】
ステップＳＰ２では、情報分類部３１５によって、ステップＳＰ１で複数の構造化レポートデータが読み出されていれば、該複数の構造化レポートデータが、表示パターン情報に応じた分類条件に基づいて分類される。このとき、図２３のステップＳＴ７と同様に、表示パターン情報で規定されるツリー表示項目名およびその優先順位に基づいて、複数の構造化レポートデータが、ツリー表示項目名として定められる２以上の項目名に属する用語について、ツリー構造の形式で階層的に分類される。なお、ステップＳＰ１で１つの構造化レポートデータしか読み出されていなければ、情報分類部３１５の分類処理では、１つの構造化レポートデータが単純にツリー構造の形式で階層的に表されるデータが生成される。
【０２０９】
ステップＳＰ３では、表示制御部３１３によって、レポート読出部１１８によって読み出され且つ情報分類部３１５によって分類された１以上の構造化レポートデータが可視的に出力されるレポート参照画面Ｔ４Ａが、表示部３３０に表示される。
【０２１０】
ステップＳＰ４では、図２３のステップＳＴ９と同様に、情報分類部３１５によって、表示パターンの変更が指示されたか否か判定される。ここでは、レポート参照画面Ｔ４Ａの表示パターンリストＤＬ４１がマウスポインタＭＰで操作されることで、表示パターンの表示が変更されると、表示パターンの変更が指示されたものと判定されて、ステップＳＰ２に戻る。一方、表示パターンの変更が指示されていなければ、ステップＳＰ５に進む。
【０２１１】
ステップＳＰ５では、表示制御部３１３によって、レポート参照画面Ｔ４Ａの表示が終了されるか否か判定される。ここでは、レポート参照画面Ｔ４Ａを閉じるための表示要素がマウスポインタＭＰで押下されると、レポート参照画面Ｔ４Ａの表示が終了されて、本動作フローが終了される。一方、レポート参照画面Ｔ４Ａを閉じるための表示要素がマウスポインタＭＰで押下されていなければ、図２９のステップＳＰ１１に進む。
【０２１２】
ステップＳＰ１１では、図２４のステップＳＴ１２と同様に、表示制御部３１３によって、表示パターンの編集が要求されているか否か判定される。ここでは、レポート参照画面Ｔ４Ａにおいてパターン編集ボタンＢＴ４１がマウスポインタＭＰで押下されると、表示パターンの編集が要求されているものと判定され、ステップＳＰ１２に進む。一方、表示パターンの編集が要求されていなければ、図２８のステップＳＰ３に進む。このとき、表示部３３０において領域Ａ６の全面に表示される画面が、レポート参照画面Ｔ４Ａとなる。
【０２１３】
ステップＳＰ１２では、図２４のステップＳＴ１３と同様に、表示制御部３１３によって、表示パターン編集画面Ｔ５が表示部３３０に表示される。
【０２１４】
ステップＳＰ１３では、図２４のステップＳＴ１４と同様な処理が行われる。
【０２１５】
ステップＳＰ１４では、図２４のステップＳＴ１５と同様に、分類条件設定部３１６によって、表示パターン編集画面Ｔ５において編集中の表示パターンを保存するか否か判定される。ここでは、表示パターン編集画面Ｔ５において保存ボタンＢＴ５２がマウスポインタＭＰで押下されると、編集中の表示パターンの保存が要求されているものとして、ステップＳＰ１５に進む。また、表示パターン編集画面Ｔ５において別名保存ボタンＢＴ５３がマウスポインタＭＰで押下されると、新規な表示パターンの名称の入力を経て、ステップＳＰ１５に進む。一方、編集中の表示パターンの保存が要求されていなければ、ステップＳＰ１６に進む。
【０２１６】
ステップＳＰ１５では、図２４のステップＳＴ１６と同様な処理が行われる。そして、ステップＳＰ１３に戻る。
【０２１７】
ステップＳＰ１６では、図２４のステップＳＴ１７と同様に、表示制御部３１３によって、表示パターン編集画面Ｔ５の表示が終了されるか否か判定される。ここでは、表示パターン編集画面Ｔ５の閉じるボタンＢＴ５４がマウスポインタＭＰで押下されると、表示パターン編集画面Ｔ５の表示が終了されるものと判定されて、ステップＳＰ１７に進む。一方、表示パターン編集画面Ｔ５の表示が終了されるものと判定されなければ、ステップＳＰ１３に戻る。
【０２１８】
ステップＳＰ１７では、図２４のステップＳＴ１８と同様な処理が行われる。
【０２１９】
ステップＳＰ１８では、図２４のステップＳＴ１９と同様に、情報分類部３１５によって、現在指定されている表示パターンが編集操作によって変更されたか否か判定される。ここで、レポート参照画面Ｔ４Ａで指定される表示パターンが編集操作によって変更されていれば、現在指定されている表示パターンが編集操作によって変更されたものと判定されて、図２８のステップＳＰ２に進む。このとき、編集操作によって変更された後の表示パターンに基づいて、１以上の構造化レポートデータの分類が再度行われ（ステップＳＰ２）、レポート参照画面Ｔ４Ａの表示が行われる（ステップＳＰ３）。一方、現在指定されている表示パターンが編集操作によって変更されていなければ、図２８のステップＳＰ３に進む。
【０２２０】
◎また、上記一実施形態および一変形例では、入力支援テンプレートにおいて要素（例えば、用語）の入力が可能な項目名が、「撮影条件」「基本部位」「基本所見」「診断」の４つであったがこれに限られない。例えば、項目名「処置」が加えられても良い。なお、項目名「処置」に係る要素としては、「ポリープを見付けると、細胞を取って生検を行う。」等が挙げられる。なお、自然文である所見文を構成する複数の要素が属する項目名としては、「撮影条件」「基本部位」「基本所見」「診断」および「処置」のうちの少なくとも１つの項目名を含むようにすれば良い。このような構成が採用されると、撮影条件、基本部位、基本所見、診断、および処置等といった項目名についての情報を容易に把握することが可能となる。
【０２２１】
◎また、上記一実施形態および一変形例では、入力支援テンプレートにおいて、用語テーブル１５３に基づき各項目名に係る用語の選択肢が列挙されたが、これに限られない。例えば、構造化情報ＤＢ１５２に格納される構造化レポートデータに基づいて、項目名間における用語の関係が可視的な表示要素（例えば、線分）等によって示されても良い。
【０２２２】
◎また、上記一実施形態および一変形例では、医療情報サーバ１００（１００Ａ）および端末３０１〜３０３（３０１Ａ〜３０３Ａ）を備えて情報処理システム１（１Ａ）が構成されたが、これに限られない。例えば、１台のパソコンにおいて、医療情報サーバ１００（１００Ａ）および端末３０１〜３０３（３０１Ａ〜３０３Ａ）の機能が実現されても良い。
【０２２３】
◎また、上記一実施形態および一変形例では、ユーザである読影医が操作部３４０を操作することで、各種情報および指示の入力が行われたが、これに限られず、例えば、ユーザの発声等といったユーザの各種動作に応じて各種情報および指示の入力が行われても良い。
【０２２４】
◎また、上記一実施形態および一変形例では、入力、検索、および参照の対象が読影レポートであったが、これに限られない。例えば、インシデントレポートや診断レポート等といった医療分野一般のレポートであっても良い。つまり、構造化情報ＤＢ１５２に蓄積される複数の構造化レポートデータが、医療分野一般のレポートに係る構造化レポートデータであっても良い。このような構成であっても、ユーザが医療分野の情報を容易に把握することができる。
【０２２５】
更に、入力、検索、および参照の対象が、例えば、営業レポートや種々のレポート等の文書一般であっても良い。
【０２２６】
◎なお、上記一実施形態および一変形例の全部または一部については、勿論、矛盾を生じない範囲で適宜組合せられても良い。
【符号の説明】
【０２２７】
１，１Ａ  情報処理システム
１００，１００Ａ  医療情報サーバ
１１０，３１０  ＣＰＵ
１１３  構造化処理部
１１４  支援情報取得部
１１５  データ書込部
１１６  レポート抽出部
１１８  レポート読出部
１５０  メモリ
３０１〜３０３，３０１Ａ〜３０３Ａ  端末
３１１  レポート生成部
３１３  表示制御部
３１４  クエリ生成部
３１５  情報分類部
３１６  分類条件設定部
３１７  参照要請部
３３０  表示部
３４０  操作部
３５０  メモリ
【図１】
2011018111.tif 000003
【図２】
2011018111.tif 000004
【図３】
2011018111.tif 000005
【図４】
2011018111.tif 000006
【図５】
2011018111.tif 000007
【図６】
2011018111.tif 000008
【図７】
2011018111.tif 000009
【図８】
2011018111.tif 000010
【図９】
2011018111.tif 000011
【図１０】
2011018111.tif 000012
【図１１】
2011018111.tif 000013
【図１２】
2011018111.tif 000014
【図１３】
2011018111.tif 000015
【図１４】
2011018111.tif 000016
【図１５】
2011018111.tif 000017
【図１６】
2011018111.tif 000018
【図１７】
2011018111.tif 000019
【図１８】
2011018111.tif 000020
【図１９】
2011018111.tif 000021
【図２０】
2011018111.tif 000022
【図２１】
2011018111.tif 000023
【図２２】
2011018111.tif 000024
【図２３】
2011018111.tif 000025
【図２４】
2011018111.tif 000026
【図２５】
2011018111.tif 000027
【図２６】
2011018111.tif 000028
【図２７】
2011018111.tif 000029
【図２８】
2011018111.tif 000030
【図２９】
2011018111.tif 000031